(57)【要約】      （修正有）【課題】高音質高画質の放送事業において、複製の自由度確保と著作権保護という、一見相反する双方の要求を満たすことが出来る。【解決手段】高音質高画質のデジタル放送などを視聴する受信者が、放送コンテンツの複製を所望する際には、再生可能な状態に質を劣化させたコンテンツを提供することで、著作権保護と、複製の自由度を高めるというシステムを提供する。これにより、良質のコンテンツを複製されることによる著作権者の被害を防ぎ、一方、放送受信者にとっては、購入する前に何度かコンテンツを確認するための複製の自由を得ることが可能となる。【選択図】図１
2008052879.tif 000002
【特許請求の範囲】
【請求項１】
音楽、映像などの複数のコンテンツ情報（以下音楽等コンテンツ情報という）と共に、著作権保護と自由な複製を可能とする複製情報を、付加情報として伝送するようにした著作権保護複製情報伝送方法において、送信側では、上記付加情報として、上記複数の音楽等コンテンツ情報から、それらをそれぞれ再生可能な状態に質を劣化させている複数の質劣化音楽等コンテンツ情報を生成すると共に、それら複数の質劣化音楽等コンテンツ情報の識別情報を生成し、上記複数の音楽等コンテンツ情報と共に送信し、受信側では、受信した上記音楽等コンテンツ情報を表示し、且つ上記付加情報の識別情報を表示し、上記表示された識別情報から複製したい上記質劣化音楽等コンテンツを選択し、ダウンロードし、上記ダウンロードした上記質劣化音楽等コンテンツ情報を蓄積するようにした著作権保護複製情報伝送方法。
【請求項２】
上記識別情報には、上記音楽等コンテンツ情報の購入情報を含むことを特徴とする請求項１に記載する著作権保護複製情報伝送方法。
【請求項３】
音楽、映像などの複数のコンテンツ情報（以下音楽等コンテンツ情報という）と共に、著作権保護と自由な複製を可能とする複製情報を、付加情報として送信するようにした著作権保護複製情報送信装置において、上記付加情報として、上記複数の音楽等コンテンツ情報から、それらをそれぞれ再生可能な状態に質を劣化させている複数の質劣化音楽等コンテンツ情報を生成する手段と、それら複数の質劣化音楽等コンテンツ情報の識別情報を生成する手段と、上記付加情報として生成された複数の質劣化音楽等コンテンツ情報とそれらの識別情報とを、上記複数の音楽等コンテンツ情報と共に送信する手段とを、備えるようにした著作権保護複製情報送信装置。
【請求項４】
上記識別情報には、上記音楽等コンテンツ情報の購入情報を含むことを特徴とした請求項３に記載する著作権保護複製情報送信装置。
【請求項５】
音楽、映像などの複数のコンテンツ情報（以下音楽等コンテンツ情報という）と共に、著作権保護と自由な複製を可能とする複製情報を、付加情報として受信するようにした著作権保護複製情報受信装置において、上記複数の音楽等コンテンツ情報から、それらをそれぞれ再生可能な状態に質を劣化させている複数の質劣化音楽等コンテンツ情報と、それらの識別情報とを、上記付加情報として、上記複数の音楽等コンテンツ情報と共に送られており、上記複数の音楽等コンテンツ情報と共に、上記付加情報を受信する手段と、上記受信した、上記音楽等コンテンツ情報を表示する音楽等コンテンツ情報表示手段と、上記付加情報の上記識別情報を表示する付加情報表示手段と、上記表示された識別情報から複製したい上記質劣化音楽等コンテンツを選択し、ダウンロードする手段と、上記ダウンロードした上記質劣化音楽等コンテンツ情報を蓄積する手段とを、備えるようにした著作権保護複製情報受信装置。
【発明の詳細な説明】
【技術分野】
【０００１】
この発明は、デジタル放送環境下における複製の自由度提供と著作権保護を達成するシステムに好適な、著作権保護複製情報伝送方法、著作権保護複製情報送信装置、著作権保護複製情報受信装置に関する。
【背景技術】
【０００２】
デジタル放送における著作権の保護と、放送受信者の個人的な複製の要求に応えるシステムとして、「コピーワンス」や「出力保護付きでコピー制限なし（encryption plus non-assertion : EPN）」が提案されている。しかし、今日まで、著作権者の権利保護と、受信者の自由度の高い複製という、一見相反する双方の要求を満たすことができる理想的なシステム提案されていない。
【０００３】
コピーワンスは、不法コピーの対策などを目的として2004年4月5日より本格導入されたが、「録画した番組を1回であればダビングできる」といった誤解や、「コンテンツがバックアップできず、SDカードなどにダウンコンバートした場合元のHDコンテンツの保存ができない」、「ムーブ時にムーブが完了しないのに不具合が生じ、オリジナルが消去されてしまった」などの不満が寄せられている。
【０００４】
他方、EPNには権利者からの強い反対が予想される。放送番組は多数の権利者で構成されており、権利者が安心できる環境を作ることで、番組の充実が図られるが、EPNでは、権利者から理解を得ることができず、デジタル放送番組の充実は不可能となり、コンテンツ保護の目的に合致しない。よって、デジタル放送の円滑な普及を阻害することにつながりかねない。仮に許諾を得てもＨＤ素材や５，１ｃｈ音声素材は提供されない可能性が高い。結果的にデジタル放送受信機を購入した視聴者は高画質・高音質を享受できないことになり、デジタル放送の普及の妨げになりかねない。また、特願２００１−５４１２４９においては、複製を許可する際に、放送コンテンツを暗号化することで行っているが、コンテンツのエンコード及びデコードを行う必要があり簡便なシステムではない。
【発明の開示】
【発明が解決しようとする課題】
【０００５】
デジタル放送の発展のためには、放送用コンテンツの著作権の保護と、放送受信者の自由度の高い複製要求（個人使用目的）との双方の要求を満たすシステムの提供が求められている。この発明においては、高品質のデジタル放送を視聴する受信者が、放送コンテンツの複製を所望する際には、再生可能な状態に質を劣化させたコンテンツを提供することで、著作権の保護と複製の自由度を高めるという双方の要求を満たすシステムを提供する。これにより、良質のコンテンツを複製されることによる著作権者の被害を防ぎ、それによりコンテンツホルダーが安心してコンテンツを提供することがきるようにする。一方、放送受信者にとっては、質の劣化したコンテンツではあるが複製の自由を得ることができ、購入する前に何度かコンテンツを確認することが可能となる。したがって、デジタル放送環境下における、著作権者と放送受信者の双方の要求を満たすことができ、課題となっているデジタル放送複製問題を解決する。
【０００６】
また、放送受信者が質劣化コンテンツを複製する際に、質を劣化する前のコンテンツの購入情報を付して蓄積することで、複製した質劣化コンテンツを何度か確かめた後で、気に入った場合には、即、質を劣化させる前のコンテンツ購入を可能せしめる。このシステムの提供により、放送コンテンツを複製させるというイベントが、著作権者コンテンツ販売促進の重要なツールとなる。これにより、放送を活用したコンテンツ流通という新たなビジネスモデルを創造することができる。
【課題を解決するための手段】
【０００７】
この発明は、音楽、映像などの複数のコンテンツ情報（以下音楽等コンテンツ情報という）と共に、著作権保護と自由な複製を可能とする複製情報を、付加情報として伝送するようにした著作権保護複製情報伝送方法において、送信側では、上記付加情報として、上記複数の音楽等コンテンツ情報から、それらをそれぞれ再生可能な状態に質を劣化させている複数の質劣化音楽等コンテンツ情報を生成すると共に、それら複数の質劣化音楽等コンテンツ情報の識別情報を生成し、上記複数の音楽等コンテンツ情報と共に送信し、受信側では、受信した上記音楽等コンテンツ情報を表示し、且つ上記付加情報の識別情報を表示し、上記表示された識別情報から複製したい上記質劣化音楽等コンテンツを選択し、ダウンロードし、上記ダウンロードした上記質劣化音楽等コンテンツ情報を蓄積するようにした著作権保護複製情報伝送方法である。
【０００８】
識別情報に、音楽等コンテンツ情報の購入情報を含むことを特徴とする著作権保護複製情報伝送方法である。
【０００９】
この発明は、音楽、映像などの複数のコンテンツ情報（以下音楽等コンテンツ情報という）と共に、著作権保護と自由な複製を可能とする複製情報を、付加情報として送信するようにした著作権保護複製情報送信装置において、上記付加情報として、上記複数の音楽等コンテンツ情報から、それらをそれぞれ再生可能な状態に質を劣化させている複数の質劣化音楽等コンテンツ情報を生成する手段と、それら複数の質劣化音楽等コンテンツ情報の識別情報を生成する手段と、上記付加情報として生成された複数の質劣化音楽等コンテンツ情報とそれらの識別情報とを、上記複数の音楽等コンテンツ情報と共に送信する手段とを、備えるようにした著作権保護複製情報送信装置である。
【００１０】
識別情報に、音楽等コンテンツ情報の購入情報を含むことを特徴とした著作権保護複製情報送信装置である。
【００１１】
この発明は、音楽、映像などの複数のコンテンツ情報（以下音楽等コンテンツ情報という）と共に、著作権保護と自由な複製を可能とする複製情報を、付加情報として受信するようにした著作権保護複製情報受信装置において、上記複数の音楽等コンテンツ情報から、それらをそれぞれ再生可能な状態に質を劣化させている複数の質劣化音楽等コンテンツ情報と、それらの識別情報とを、上記付加情報として、上記複数の音楽等コンテンツ情報と共に送られており、上記複数の音楽等コンテンツ情報と共に、上記付加情報を受信する手段と、上記受信した、上記音楽等コンテンツ情報を表示する音楽等コンテンツ情報表示手段と、上記付加情報の上記識別情報を表示する付加情報表示手段と、上記表示された識別情報から複製したい上記質劣化音楽等コンテンツを選択し、ダウンロードする手段と、上記ダウンロードした上記質劣化音楽等コンテンツ情報を蓄積する手段とを、備えるようにした著作権保護複製情報受信装置である。
【発明の効果】
【００１２】
この発明によれば、音楽等コンテンツ情報から質劣化音楽等コンテンツ情報を生成している。音楽等コンテンツ情報と共に、付加情報である質劣化音楽等コンテンツ情報とその識別情報を、放送網を介し送信する。受信者が、音楽等コンテンツ情報を高画質高音質で視聴でき、且つ、視聴する音楽等コンテンツ情報を複製する場合、質劣化音楽等コンテンツ情報と音楽等コンテンツ情報の購入情報を提供する。これにより、自由度の高い複製を要求する受信者と、放送コンテンツの著作権保護を求める著作権者との双方の要望に応えることができ、デジタル放送の複製問題を解決することができる。また、これにより、音楽等コンテンツ情報の流通を促すことができる。
【発明を実施するための最良の形態】
【００１３】
図１のように、この発明が適用されたシステムは、デジタル放送の個人使用複製（コピー）要求に対し、質を劣化させたコンテンツを提供することで複製の自由度を提供し、著作権者ならびに放送受信者の双方の理解を得る。よって、デジタル放送の複製（コピー）問題を解決する。さらに、コンテンツを複製する際に、質を劣化させる前のコンテンツの購入情報を識別情報として付して蓄積するようなされているため、受信者が、複製したコンテンツを視聴し、コンテンツを購入したい場合に、識別情報により、簡便に、質を劣化する前のコンテンツを購入できるようにしたものである。
【実施例】
【００１４】
図１は、この発明が適用された著作権保護複製情報伝送システムの実施例の全体構成を示すものである。この図１に示すように、放送装置の放送手段には、複数の音楽等コンテンツ情報と、付加情報である複数の質劣化音楽等コンテンツ情報と、それら複数の質劣化音楽等コンテンツ情報の識別情報が送られるようなされている。
【００１５】
音楽等コンテンツ情報とは、動画、音楽、ゲーム、静止画、テキストなどの個体またはそれらの複合体である。音楽等コンテンツ情報は、例えば、MPEG(Moving Picture Experts Group)やＡＡＣ（Advanced Audio Coding ）などにより、それぞれに最適の圧縮が行われる。
【００１６】
音楽等コンテンツ情報は、一旦蓄積サーバに蓄積し、放送手段に送出されてもよい。同じように、付加情報である質劣化音楽等コンテンツ情報とその識別情報も、一旦サーバに蓄積し、送出されてもよい。
【００１７】
放送手段は、デジタル放送の送出を行うようなされている。
また、放送手段は、デジタル放送の送出を行う際に、例えば、OFDM（Orthogonal Frequency Division Multiplexing）変調方式による変調をおこなうようなされている。
【００１８】
放送手段は、また、音楽等コンテンツ情報や様々な付加情報など、いわゆるマルチメディア情報の符号化の処理を行うようなされている。符号化したマルチメディアコンテンツを一斉同報が可能な同報ネットワークである放送網を介し送出する。（一斉同報が可能な同報ネットワークは、放送網に限らず、例えば、IPマルチキャストを活用した通信ネットワークへも送出することもできる。）
【００１９】
マルチメディアの符号化は、例えば、MPEG１、MPEG２、MPEG４、Ｈ.264などの圧縮技術を活用する。具体的には、例えば、デジタル放送規格の一つであるMPEG-2 TS（Transport Stream）符号化による多重化がなされ送出するようなされている。MPEG-2 TS符号化によれば、BML（Broadcast Markup Language）を用いたデータ放送なども行うことが可能である。このような符号化により送出されることで、音楽等コンテンツ情報や付加情報（データ放送）など、いわゆるマルチメディア情報のそれぞれの取得情報が提供され、受信装置側で適宜、受信（ストリーミング及び／又はダウンロード）できるようになされている。
【００２０】
放送手段におけるマルチメディア情報の符号化の際、必要とあらば、符号化したマルチメディア情報を一旦蓄積し、放送網へ送出することもある。
【００２１】
質劣化音楽等コンテンツ生成手段は、音楽等コンテンツ情報から、再生可能な状態に質を劣化させている質劣化音楽等コンテンツ情報を生成するようなされている。
【００２２】
質劣化音楽等コンテンツ生成手段の具体的な生成方法を説明する。高音質のオーディオ符号化に、例えば、ＡＡＣ（Advanced Audio Coding ）フォーマットがあるが、これらの高音質のオーディオデータから、再生可能な状態に質を劣化させるため、さらに、例えば、ＭＰ３（MPEG Audio Layer3）フォーマットで符号化を行う。ビットレートと再生周波数の関係は、圧縮ソフト等によってもことなるが、ＭＰ３によるデコードビットレートを、例えば、64kbps 以下にすると明らかな音質低下を図ることが可能である。これにより、受信装置で視聴する際には、ＡＡＣフォーマットの高音質状態で視聴ができ、受信者が複製を所望する場合には、例えば、ＭＰ３によるデコードビットレートを、64kbps以下にしたモノラルオーディオ程度の音質で複製するようなされている。
【００２３】
質劣化音楽等コンテンツ情報は、例えば、ダウンロード情報として送信するようなされている。
【００２４】
質劣化音楽等コンテンツ情報は、音楽等コンテンツ情報に付されて送信するようなされている。
【００２５】
識別情報は、例えば、複製する質劣化音楽等コンテンツ情報のユニークなIDやタイトルなどや、それら質劣化音楽等コンテンツ情報のダウンロードに用いるダウンロード情報である。識別情報は、例えば、データ放送としてBML文書により送信され、受信装置側で表示、選択されるようなされ、質劣化音楽等コンテンツ情報のダウンロードを処理するようなされている。
ダウンロード情報には、例えば、質劣化音楽等コンテンツ情報のネットワーク上のローケーションを示すローケーション情報や、さらに、例えば、質劣化音楽等コンテンツ情報を取得するための鍵情報または取得した質劣化前記音楽等コンテンツ情報を有効とするための鍵情報等であることもある。取得情報は、例えば、マルチメディア言語記述により質劣化音楽等コンテンツ情報のダウンロード実行手順を記述した情報である。
【００２６】
また、識別情報の記述言語としては、例えば、XMLやHTMLなどがある。
【００２７】
識別情報は、また、音楽等コンテンツ情報のヘッダーとして記述され送信することもある。
【００２８】
また、識別情報には、質を劣化する前の音楽等コンテンツ情報を購入するための情報が含まれることがある。音楽等コンテンツ情報を購入するための情報とは、例えば、購入する音楽等コンテンツ情報のユニークなIDやタイトルなどや、それら音楽等コンテンツ情報のダウンロードに用いるダウンロード情報である。ダウンロード情報とは、例えば、音楽等コンテンツ情報のネットワーク上のローケーションを示すローケーション情報や、さらに、例えば、音楽等コンテンツ情報を取得するための鍵情報または取得した音楽等コンテンツ情報を有効とするための鍵情報等である。取得情報は、例えば、マルチメディア言語記述により音楽等コンテンツ情報のダウンロード実行手順を記述した情報である。また、さらに、課金に関する関連情報ＥＣＭを送信してもよい。
【００２９】
このように構成された音楽等コンテンツ情報を購入するための情報は、受信側で質劣化音楽等コンテンツ情報をダウンロードする際に、それに付されてダウンロードされ、受信側の蓄積部へ蓄積するようなされている。
【００３０】
放送装置による放送コンテンツの販売購入に関する方法は、既に幾つか示されており、ここでは説明を省略する。
【００３１】
受信装置について説明する。放送受信手段は、デジタル放送の受信を行うようなされている。
【００３２】
方送受信手段は、例えば、アンテナによる電波受信、電波の復調、MPEG-2 TS（Transport Stream）などの符号化のデコードなどの処理が適切に行われるようなされている。また、MPEG-2 TS（Transport Stream）のデコード処理では、マルチメディアコンテンツが、映像、音声、テキストなど選別（フィルタリング）がおこなわれ、それぞれの表示機能へ適切に提示処理が行われるようなされている。
【００３３】
音楽等コンテンツ情報表示手段は、例えば、ディスプレイ（モニタ）とスピーカーなどで構成され、方送受信手段で受信しデコードされた音楽等コンテンツを表示再生する。
【００３４】
識別情報表示手段は、例えば、不揮発性メモリやディスプレイなどで構成され、方送受信手段で受信しデコードされた、複数の識別情報を記録し表示する。表示される識別情報は、音楽等コンテンツ情報表示手段で表示再生されている音楽等コンテンツ情報と同期し、順次表示するとともに、その順次表示された複数の識別情報中のいま表示した識別情報の表示以前に予定数表示したその予定数の識別情報を、それら予定数の識別情報中から一の識別情報を選択可能な状態に表示するようなされている。
【００３５】
識別情報は、例えば、BML書類により作成、提供される。その場合、識別情報表示手段は、BML書類の表示方法より処理するようなされている。
【００３６】
識別情報は、また、例えば、音楽等コンテンツ情報のヘッダー情報として提供されることがある。その場合、識別情報表示手段は、音楽等コンテンツ情報のヘッダー情報として表示するようなされている。
【００３７】
識別情報選択手段は、例えば、ディスプレイなどで構成され、視聴している音楽等コンテンツ情報の複製情報として提供する質劣化音楽等コンテンツ情報を所望する際、識別情報表示手段で予定数表示されている予定数の識別情報中から一の識別情報が、所望したい質劣化音楽等コンテンツ情報の識別情報として、識別情報選択手段によって選択されれば、それに応じて、所望したい質劣化音楽等コンテンツ情報を放送波からダウンロードするようなされている。
【００３８】
蓄積手段は、例えば、ハードディスクや光磁気ディスクやフラッシュメモリーなどの記憶（記録）媒体で構成され識別情報選択手段により選択ダウンロードした質劣化音楽情報を蓄積する。
また、蓄積手段は、例えば、取り外しができるようにすることもできる。
【００３９】
付加情報読出手段は、蓄積手段に蓄積した質劣化音楽等コンテンツ情報を読み出し、音楽等コンテンツ情報表示手段に送り表示再生するようになされている。
また、付加情報読出手段は、質劣化音楽等コンテンツ情報に付されて蓄積手段に蓄積する音楽等コンテンツ情報の購入情報を読み出し、識別情報表示手段へ送り、表示するようなされている。
【００４０】
受信装置による放送コンテンツの購入に関する方法は、既に幾つか示されており、ここでは説明を省略する。
【産業上の利用可能性】
【００４１】
本特許は、デジタル放送のコンテンツ複製（受信者コピー）問題に対し、著作権者と受信者の双方の理解を得られるシステムを提供することができる。特に、コンテンツホルダーの理解を得られることで、豊富なコンテンツの提供が可能となり、結果として受信者満足度を向上させ、放送事業発展に大いに寄与する。また、コンテンツを複製する際に、そのコンテンツを購入させるための識別情報を付して蓄積させるため、放送事業を活用したコンテンツ流通事業を創造することができる。
【図面の簡単な説明】
【００４２】
【図１】図１は、この発明が適用された著作権保護複製情報伝送システムの実施例の全体構成を示すものである。
【図１】
2008052879.tif 000003
【手続補正書】
【提出日】平成18年9月18日(2006.9.18)
【手続補正１】
【補正対象書類名】特許請求の範囲
【補正対象項目名】全文
【補正方法】変更
【補正の内容】
【特許請求の範囲】
【請求項１】
放送装置において、音楽、映像などの複数のコンテンツ情報（以下音楽等コンテンツ情報という）から、それらをそれぞれ再生可能な状態に質を劣化させている複数の質劣化音楽等コンテンツ情報を、質劣化音楽等コンテンツ情報生成手段によって生成し、上記放送装置において、上記生成した複数の質劣化音楽等コンテンツ情報に、それら複数の質劣化音楽等コンテンツ情報の識別情報を付すようになされていて、上記放送装置から、上記複数の音楽等コンテンツ情報を、付加情報である、上記生成された複数の質劣化音楽等コンテンツ情報と、それら複数の質劣化音楽等コンテンツ情報の識別情報とともに、放送手段によって、受信装置に向け、順次伝送し、上記受信装置が、上記放送装置から順次伝送される上記複数の音楽等コンテンツ情報を、上記付加情報である、上記生成された複数の質劣化音楽等コンテンツ情報と、それら複数の質劣化音楽等コンテンツ情報の識別情報とともに、放送受信手段によって、順次受信し、上記音楽等コンテンツ情報を、上記付加情報である、上記生成された複数の質劣化音楽等コンテンツ情報と、それら複数の質劣化音楽等コンテンツ情報の識別情報とともに、受信した上記受信装置において、上記受信した上記音楽等コンテンツ情報を、音楽等コンテンツ情報表示手段によって順次表示し、
上記受信した複数の識別情報を識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、上記予定数の識別情報を表示している受信装置おいて、上記予定数の識別情報中から一の識別情報が、所望したい質劣化音楽等コンテンツ情報の識別情報(以下所望識別情報という)として、識別情報選択手段によって選択されれば、それに応じて、質劣化音楽等情報所望要求情報生成手段によって、上記所望識別情報を有する質劣化音楽等コンテンツ情報所望要求情報を生成し、上記生成した質劣化音楽等コンテンツ情報所望要求情報を、上記付加情報を受信している当該受信装置の放送受信手段に、送り出し、上記放送受信手段は、上記質劣化音楽等コンテンツ情報所望要求情報を受信したことに基づき、上記放送装置から受信した上記付加情報の上記複数の質劣化音楽等コンテンツ情報の中から、上記質劣化音楽等コンテンツ情報所望要求情報の所望識別情報が表している質劣化音楽等コンテンツ情報を、上記放送受信手段が上記質劣化音楽等情報所望要求情報生成手段から受信した上記質劣化音楽等コンテンツ情報所望要求情報の所望識別情報と、上記放送受信手段が上記放送装置から受信した上記複数の質劣化音楽等コンテンツ情報に付されている識別情報とを用いて、選び出し、その選び出した上記質劣化音楽等コンテンツ情報を、当該受信装置の蓄積手段に向け、送り出し、上記放送受信手段より送り出した上記質劣化音楽等コンテンツ情報を、当該受信装置の蓄積手段に、蓄積するようにした音楽等コンテンツ情報伝送・受信システム。
【請求項２】
放送装置において、音楽、映像などの複数のコンテンツ情報（以下音楽等コンテンツ情報という）から、それらをそれぞれ再生可能な状態に質を劣化させている複数の質劣化音楽等コンテンツ情報を、質劣化音楽等コンテンツ情報生成手段によって生成し、上記放送装置において、上記複数の質劣化音楽等コンテンツ情報に生成される前の上記複数の音楽等コンテンツ情報は、それら複数の音楽等コンテンツ情報の購入識別情報とともに、複数の音楽等情報として、音楽等情報蓄積手段に蓄積されており、上記放送装置において、上記生成された複数の質劣化音楽等コンテンツ情報を、それら複数の質劣化音楽等コンテンツ情報に生成される前の複数の音楽等コンテンツ情報の購入識別情報とともに、複数の質劣化音楽等情報とし、上記複数の質劣化音楽等情報に、それら複数の質劣化音楽等情報の識別情報を付すようになされていて、上記放送装置から、上記複数の音楽等コンテンツ情報を、付加情報である、上記複数の音楽等コンテンツ情報の購入識別情報と、上記複数の質劣化音楽等情報と、それら複数の質劣化音楽等情報の識別情報とともに、放送手段によって、受信装置に向け、順次伝送し、上記受信装置が、上記放送装置から順次放送される上記複数の音楽等コンテンツ情報を、上記付加情報である、上記複数の音楽等コンテンツ情報の購入識別情報と、上記複数の質劣化音楽等情報と、それら複数の質劣化音楽等情報の識別情報とともに、放送受信手段によって、順次受信し、上記複数の音楽等コンテンツ情報と上記付加情報を受信した受信装置において、上記受信した付加情報の上記複数の質劣化音楽等情報の識別情報を識別情報表示手段によって、順次表示するとともに、その順次表示された複数の識別情報中のいま表示した識別情報中の表示以前に予定数表示したその予定数の識別情報を、それら予定数の識別情報中から一の識別情報を選択可能な状態に表示し、上記予定数の識別情報を表示している受信装置おいて、上記予定数の識別情報中から一の識別情報が、所望したい質劣化音楽等情報の識別情報(以下所望識別情報という)として、識別情報選択手段によって選択されれば、それに応じて、質劣化音楽等情報所望要求情報生成手段によって、上記所望識別情報を有する質劣化音楽等情報所望要求情報を生成し、上記生成した質劣化音楽等情報所望要求情報を、上記付加情報を受信している当該受信装置の放送受信手段に、送り出し、上記放送受信手段は、上記質劣化音楽等情報所望要求情報を受信したことに基づき、上記放送装置から受信した上記付加情報の上記複数の質劣化音楽等情報の中から、上記質劣化音楽等情報所望要求情報の所望識別情報が表している質劣化音楽等情報を、上記放送受信手段が上記質劣化音楽等情報所望要求情報生成手段から受信した上記質劣化音楽等情報所望要求情報の所望識別情報と、上記放送受信手段が上記放送装置から受信した上記複数の質劣化音楽等情報に付されている識別情報とを用いて、選び出し、その選び出した上記質劣化音楽等情報を、当該受信装置の蓄積手段に向け、送り出し、上記放送受信手段より送り出された上記質劣化音楽等情報を、当該受信装置の蓄積手段に、蓄積し、上記複数の質劣化音楽等情報を蓄積した受信装置において、上記蓄積手段���ら、上記複数の質劣化音楽等情報の複数の質劣化音楽等コンテンツ情報を、付加情報読出手段によって、読み出し、その読み出した、上記複数の質劣化音楽等コンテンツ情報を、音楽等コンテンツ表示手段によって、適宜順次表示し、且つ上記複数の質劣化音楽等情報の、上記複数の質劣化音楽等コンテンツ情報に生成される前の複数の音楽等コンテンツ情報の複数の購入識別情報を、付加情報読出手段によって、読み出し、その読み出した上記複数の購入識別情報を識別情報表示手段によって、順次表示するとともに、その順次表示された複数の購入識別情報中のいま表示した購入識別情報の表示以前に予定数表示したその予定数の購入識別情報を、それら予定数の購入識別情報中から一の購入識別情報を選択可能な状態に表示し、上記音楽等コンテンツ情報を、上記付加情報とともに受信した上記受信装置において、上記受信した音楽等コンテンツ情報を、音楽等コンテンツ情報表示手段によって、順次表示し、且つ上記受信した付加情報の上記複数の購入識別情報を、付加情報読出手段によって、読み出し、その読み出した上記複数の購入識別情報を識別情報表示手段によって、順次表示するとともに、その順次表示された複数の購入識別情報中のいま表示した購入識別情報の表示以前に予定数表示したその予定数の購入識別情報を、それら予定数の購入識別情報中から一の購入識別情報を選択可能な状態に表示し、上記予定数の購入識別情報を表示している受信装置おいて、上記予定数の購入識別情報中から一の購入識別情報が、購入したい音楽等コンテンツ情報の購入識別情報(以下希望音楽等コンテンツ情報購入識別情報という)として、識別情報選択手段によって選択されれば、それに応じて、音楽等コンテンツ情報購入要求情報生成手段によって、当該受信装置を表している受信装置表示情報と上記希望音楽等コンテンツ情報購入識別情報とを有する音楽等コンテンツ情報購入要求情報を生成し、上記音楽等コンテンツ情報購入要求情報を生成した受信装置から、上記音楽等コンテンツ情報購入要求情報を、当該受信装置の送受信手段の送信部によって、上記放送装置に向け、送信し、上記放送装置が、上記音楽等コンテンツ情報購入要求情報を送信した受信装置から送信された音楽等コンテンツ情報購入要求情報を、当該放送装置の送受信手段の受信部によって、受信し、上記放送装置において、上記音楽等コンテンツ情報購入要求情報を受信したことに基づき、当該放送装置の上記音楽等情報蓄積手段から、それに蓄積されている上記複数の音楽等情報中の上記音楽等コンテンツ情報購入要求情報の希望音楽等コンテンツ情報購入識別情報が表している音楽等コンテンツ情報を、販売音楽等コンテンツ情報として、販売音楽等コンテンツ情報読出手段によって、上記受信した音楽等コンテンツ情報購入要求情報の希望音楽等コンテンツ情報購入識別情報と当該放送装置の上記音楽等情報蓄積手段に蓄積されている上記複数の音楽等情報の購入識別情報と別途予め得ている課金情報とを用いて、読み出し、その読み出した販売音楽等コンテンツ情報を、当該放送装置の送受信手段の送信部または放送手段によって、上記音楽等コンテンツ情報購入要求情報の受信装置表示情報を用いて、上記音楽等コンテンツ情報購��要求情報を送信した受信装置に向け、送信または伝送し、上記音楽等コンテンツ情報購入要求情報を送信した受信装置が、上記放送装置から送信されまたは放送された販売音楽等コンテンツ情報を、購入音楽等コンテンツ情報として、上記販売音楽等コンテンツ情報が上記放送装置の送受信手段の送信部によって送信されたか放送手段によって放送されたかに応じて、当該受信装置の送受信手段の受信部によってまたは放送受信手段によって、受信し、上記購入音楽等コンテンツ情報を受信した受信装置において、上記受信した購入音楽等コンテンツ情報を、購入音楽等コンテンツ情報蓄積手段に蓄積することを特徴とする音楽等コンテンツ情報伝送・受信システム。
【請求項３】
放送装置において、音楽、映像などの複数のコンテンツ情報（以下音楽等コンテンツ情報という）から、それらをそれぞれ予定表示期間内に限って表示可能な状態にさせている、及び／又は、それらをそれぞれ予定表示回数内に限って表示可能な状態にさせている、複数の表示制限音楽等コンテンツ情報を、表示制限音楽等コンテンツ情報生成手段によって生成し、上記放送装置において、上記生成した複数の表示制限音楽等コンテンツ情報に、それら複数の表示制限音楽等コンテンツ情報の識別情報を付すようになされていて、上記放送装置から、上記複数の音楽等コンテンツ情報を、付加情報である、上記生成された表示制限音楽等コンテンツ情報と、それら複数の表示制限音楽等コンテンツ情報の識別情報とともに、放送手段によって、受信装置に向け、順次伝送し、上記受信装置が、上記放送装置から順次伝送される上記複数の音楽等コンテンツ情報を、上記付加情報である、上記生成された複数の表示制限音楽等コンテンツ情報と、それら複数の表示制限音楽等コンテンツ情報の識別情報とともに、放送受信手段によって、順次受信し、上記音楽等コンテンツ情報を、上記付加情報である、上記生成された複数の表示制限音楽等コンテンツ情報と、それら複数の表示制限音楽等コンテンツ情報とともに、受信した上記受信装置において、上記受信した上記音楽等コンテンツ情報を、音楽等コンテンツ情報表示手段によって順次表示し、上記受信した複数の識別情報を識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、上記予定数の識別情報を表示している受信装置おいて、上記予定数の識別情報中から一の識別情報が、所望したい表示制限音楽等コンテンツ情報の識別情報(以下所望識別情報という)として、識別情報選択手段によって選択されれば、それに応じて、表示制限音楽等情報所望要求情報生成手段によって、当該受信装置を表している受信装置表示情報と上記所望識別情報とを有する表示制限音楽等コンテンツ情報所望要求情報を生成し、上記生成した表示制限音楽等コンテンツ情報所望要求情報を、上記付加情報を受信している当該受信装置の放送受信手段に、送り出し、上記放送受信手段は、上記表示制限音楽等コンテンツ情報所望要求情報を受信したことに基づき、上記放送装置から受信した上記付加情報の上記複数の表示制限音楽等コンテンツ情報の中から、上記表示制限音楽等コンテンツ情報所望要求情報の所望識別情報が表している表示制限音楽等コンテンツ情報を、上記放送受信手段が上記表示制限音楽等情報所望要求情報生成手段から受信した上記表示制限音楽等コンテンツ情報所望要求情報の所望識別情報と、上記放送受信手段が上記放送装置から受信した上記複数の表示制限音楽等コンテンツ情報に付されている識別情報とを用いて、選び出し、その選び出した上記表示制限音楽等コンテンツ情報を、当該受信装置の蓄積手段に向け、送り出し、上記放送受信手段より送り出された上記表示制限音楽等コンテンツ情報を、当該受信装置の蓄積手段に、蓄積するようにした音楽等コンテンツ情報伝送���受信システム。
【請求項４】
放送装置において、音楽、映像などの複数のコンテンツ情報（以下音楽等コンテンツ情報という）から、それらをそれぞれ予定表示期間内に限って表示可能な状態にさせている、及び／又は、それらをそれぞれ予定表示回数内に限って表示可能な状態にさせている、複数の表示制限音楽等コンテンツ情報を、表示制限音楽等コンテンツ情報生成手段によって生成し、上記放送装置において、上記複数の表示制限音楽等コンテンツ情報に生成される前の上記複数の音楽等コンテンツ情報は、それら複数の音楽等コンテンツ情報の購入識別情報とともに、複数の音楽等情報として、音楽等情報蓄積手段に蓄積されており、上記放送装置において、上記生成された複数の表示制限音楽等コンテンツ情報を、それら複数の表示制限音楽等コンテンツ情報に生成される前の複数の音楽等コンテンツ情報の購入識別情報とともに、複数の表示制限音楽等情報とし、上記複数の表示制限音楽等情報に、それら複数の表示制限音楽等情報の識別情報を付すようになされていて、上記放送装置から、上記複数の音楽等コンテンツ情報を、付加情報である、上記複数の音楽等コンテンツ情報の購入識別情報と、上記複数の表示制限音楽等情報と、それら複数の表示制限音楽等情報の識別情報とともに、放送手段によって、受信装置に向け、順次伝送し、上記受信装置が、上記放送装置から順次放送される上記複数の音楽等コンテンツ情報を、上記付加情報である、上記複数の音楽等コンテンツ情報の購入識別情報と、上記複数の表示制限音楽等情報と、それら複数の表示制限音楽等情報の識別情報とともに、放送受信手段によって、順次受信し、上記複数の音楽等コンテンツ情報と上記付加情報を受信した受信装置において、上記受信した付加情報の上記複数の表示制限音楽等情報の識別情報を識別情報表示手段によって、順次表示するとともに、その順次表示された複数の識別情報中のいま表示した識別情報中の表示以前に予定数表示したその予定数の識別情報を、それら予定数の識別情報中から一の識別情報を選択可能な状態に表示し、上記予定数の識別情報を表示している受信装置おいて、上記予定数の識別情報中から一の識別情報が、所望したい表示制限音楽等情報の識別情報(以下所望識別情報という)として、識別情報選択手段によって選択されれば、それに応じて、表示制限音楽等情報所望要求情報生成手段によって、上記所望識別情報を有する表示制限音楽等情報所望要求情報を生成し、上記生成した表示制限音楽等情報所望要求情報を、上記付加情報を受信している当該受信装置の放送受信手段に、送り出し、上記放送受信手段は、上記表示制限音楽等情報所望要求情報を受信したことに基づき、上記放送装置から受信した上記付加情報の上記複数の表示制限音楽等情報の中から、上記表示制限音楽等情報所望要求情報の所望識別情報が表している表示制限音楽等情報を、上記放送受信手段が上記表示制限音楽等情報所望要求情報生成手段から受信した上記表示制限音楽等情報所望要求情報の所望識別情報と、上記放送受信手段が上記放送装置から受信した上記複数の表示制限音楽等情報に付されている識別情報とを用いて、選び出し、その選び出した上記表示制限音楽等情報を、当該受信装置の蓄積手段に向け、送り出し、上記放送受信���段より送り出された上記表示制限音楽等情報を、当該受信装置の蓄積手段に、蓄積し、上記複数の表示制限音楽等情報を蓄積した受信装置において、上記蓄積手段から、上記複数の表示制限音楽等情報の複数の表示制限音楽等コンテンツ情報を、付加情報読出手段によって、読み出し、その読み出した、上記複数の表示制限音楽等コンテンツ情報を、音楽等コンテンツ表示手段によって、予定期間内に限って適宜順次表示し、且つ上記複数の表示制限音楽等情報の、複数の音楽等コンテンツ情報の購入識別情報を、付加情報読出手段によって、読み出し、その読み出した上記複数の購入識別情報を識別情報表示手段によって、順次表示するとともに、その順次表示された複数の購入識別情報中のいま表示した購入識別情報の表示以前に予定数表示したその予定数の購入識別情報を、それら予定数の購入識別情報中から一の購入識別情報を選択可能な状態に表示し、上記音楽等コンテンツ情報を、上記付加情報とともに受信した上記受信装置において、上記受信した音楽等コンテンツ情報を、音楽等コンテンツ情報表示手段によって、順次表示し、且つ上記受信した付加情報の上記複数の購入識別情報を、付加情報読出手段によって、読み出し、その読み出した上記複数の購入識別情報を識別情報表示手段によって、順次表示するとともに、その順次表示された複数の購入識別情報中のいま表示した購入識別情報の表示以前に予定数表示したその予定数の購入識別情報を、それら予定数の購入識別情報中から一の購入識別情報を選択可能な状態に表示し、上記予定数の購入識別情報を表示している受信装置おいて、上記予定数の購入識別情報中から一の購入識別情報が、購入したい音楽等コンテンツ情報の購入識別情報(以下希望音楽等コンテンツ情報購入識別情報という)として、識別情報選択手段によって選択されれば、それに応じて、音楽等コンテンツ情報購入要求情報生成手段によって、当該受信装置を表している受信装置表示情報と上記希望音楽等コンテンツ情報購入識別情報とを有する音楽等コンテンツ情報購入要求情報を生成し、上記音楽等コンテンツ情報購入要求情報を生成した受信装置から、上記音楽等コンテンツ情報購入要求情報を、当該受信装置の送受信手段の送信部によって、上記放送装置に向け、送信し、上記放送装置が、上記音楽等コンテンツ情報購入要求情報を送信した受信装置から送信された音楽等コンテンツ情報購入要求情報を、当該放送装置の送受信手段の受信部によって、受信し、上記放送装置において、上記音楽等コンテンツ情報購入要求情報を受信したことに基づき、当該放送装置の上記音楽等情報蓄積手段から、それに蓄積されている上記複数の音楽等情報中の上記音楽等コンテンツ情報購入要求情報の希望音楽等コンテンツ情報購入識別情報が表している音楽等コンテンツ情報を、販売音楽等コンテンツ情報として、販売音楽等コンテンツ情報読出手段によって、上記受信した音楽等コンテンツ情報購入要求情報の希望音楽等コンテンツ情報購入識別情報と当該放送装置の上記音楽等情報蓄積手段に蓄積されている上記複数の音楽等情報の購入識別情報と別途予め得ている課金情報とを用いて、読み出し、その読み出した販売音楽等コンテンツ情報を、当該放送装置の送受信手段の送信��または放送手段によって、上記音楽等コンテンツ情報購入要求情報の受信装置表示情報を用いて、上記音楽等コンテンツ情報購入要求情報を送信した受信装置に向け、送信または伝送し、上記音楽等コンテンツ情報購入要求情報を送信した受信装置が、上記放送装置から送信されまたは放送された販売音楽等コンテンツ情報を、購入音楽等コンテンツ情報として、上記販売音楽等コンテンツ情報が上記放送装置の送受信手段の送信部によって送信されたか放送手段によって放送されたかに応じて、当該受信装置の送受信手段の受信部によってまたは放送受信手段によって、受信し、上記購入音楽等コンテンツ情報を受信した受信装置において、上記受信した購入音楽等コンテンツ情報を、購入音楽等コンテンツ情報蓄積手段に蓄積することを特徴とする音楽等コンテンツ情報伝送・受信システム。
【請求項５】
請求項２及び４中の一の請求項に記載の音楽等コンテンツ情報伝送・受信システムにおいて、上記放送装置が、上記販売音楽等コンテンツ情報を上記受信装置に向け送信または放送することで課金するとする、その課金管理を当該放送装置が受信した上記音楽等コンテンツ情報要求情報の受信装置表示情報を用いて行うようにした課金管理手段を有することを特徴とする音楽等コンテンツ情報伝送・受信システム。
【請求項６】
請求項２及び４中の一の請求項に記載の音楽等コンテンツ情報伝送・受信システムにおいて、上記放送装置が、上記販売音楽等コンテンツ情報の販売管理を当該放送装置が受信した上記音楽等コンテンツ情報要求情報の購入識別情報を用いて行うようにした音楽等コンテンツ情報販売管理手段を有することを特徴とする音楽等コンテンツ情報伝送・受信システム。
【請求項７】
請求項１、２、３、及び４中の一の請求項に記載の音楽等コンテンツ情報伝送・受信システムにおいて、上記受信装置において、上記質劣化音楽等情報所望情報生成手段又は上記表示制限音楽等情報所望情報生成手段によって生成される情報である、上記質劣化音楽等コンテンツ情報所望要求情報又は、上記質劣化音楽等情報所望要求情報又は、上記表示制限音楽等コンテンツ情報所望要求情報又は、上記表示制限音楽等情報所望要求情報（以下これら上記質劣化音楽等情報所望情報生成手段又は上記表示制限音楽等情報所望情報生成手段によって生成される情報をコンテンツ複製要求情報という）を、当該受信装置の送受信手段の送信部によって、音楽等コンテンツ情報の各種市場分析を行う第三者機関又は上記放送装置へ送信することを特徴とする音楽等コンテンツ情報伝送・受信システム。
【請求項８】
上記受信装置において、上記複数のコンテンツ複製要求情報を、当該受信装置の送受信手段の送信部によって、音楽等コンテンツ情報の各種市場分析を行う第三者機関又は上記放送装置へ送信する際に、当該受信装置の受信装置表示情報を付すことを特徴とする、請求項７記載する音楽等コンテンツ情報伝送・受信システム。
【請求項９】
請求項１、２、３、及び４中の一の請求項に記載の音楽等コンテンツ情報伝送・受信システムにおいて、上記受信装置において、上記質劣化音楽等情報所望情報生成手段又は上記表示制限音楽等情報所望情報生成手段によって生成される情報である、上記複数のコンテンツ複製要求情報を、上記受信装置の蓄積手段に蓄積することを特徴とする音楽等コンテンツ情報伝送・受信システム。
【請求項１０】
上記受信装置において、上記受信装置の蓄積手段に蓄積した上記複数のコンテンツ複製要求情報を、上記付加情報読出手段で、読み出し、当該受信装置の送受信手段の送信部によって、音楽等コンテンツ情報の各種市場分析を行う第三者機関又は上記放送装置へ送信することを特徴とする請求項９に記載する音楽等コンテンツ情報伝送・受信システム。
【請求項１１】
上記受信装置において、上記受信装置の蓄積手段に蓄積した複数の上記コンテンツ複製要求情報を、上記付加情報読出手段で、読み出し、当該受信装置の送受信手段の送信部によって、音楽等コンテンツ情報の各種市場分析を行う第三者機関又は上記放送装置へ送信する際に、当該受信装置の受信装置表示情報を付すことを特徴とする、請求項１０記載する音楽等コンテンツ情報伝送・受信システム。
【手続補正２】
【補正対象書類名】明細書
【補正対象項目名】全文
【補正方法】変更
【補正の内容】
【発明の詳細な説明】
【技術分野】
【０００１】
本発明は、放送装置から番組として順次放送された音楽、映像などの複数のコンテンツ情報(以下音楽等コンテンツ情報という)中の、受信装置側で複製希望とする音楽等コンテンツ情報を、著作権保護と自由な複製とを達成して提供するとともに、受信装置側で購入希望する音楽等コンテンツ情報を、放送装置側から購入していない状態で読み出し可能に蓄積し得ることなしに、放送装置側から購入している状態でのみ読み出し可能に蓄積し得るようになされた音楽等コンテンツ情報放送・受信システムに関する。
【背景技術】
【０００２】
デジタル放送における著作権の保護と、放送受信者の個人的な複製の要求に応えるシステムとして、「コピーワンス」や「出力保護付きでコピー制限なし（encryption plus non-assertion : EPN）」が提案されている。しかし、今日まで、著作権者の権利保護要求と、受信者の自由度の高い複製要求の双方を満たす理想的なシステムが提案されていない。また、著作権保護と複製方法とを達成した上で、放送する音楽等コンテンツ情報を、簡便に販売する方法が提供されていない。
【０００３】
コピーワンスは、不法コピーの対策などを目的として2004年4月5日より本格導入されたが、「録画した番組を1回であればダビングできる」といった誤解や、「コンテンツがバックアップできず、SDカードなどにダウンコンバートした場合元のHDコンテンツの保存ができない」、「ムーブ時にムーブが完了しないのに不具合が生じ、オリジナルが消去されてしまった」などの不満が寄せられている。また、著作権者側の危惧の声として、一度でも高音質高画質のコンテンツを複製されてしまえば、それを気に入った人は長期間にわたり利用することができるので、著作権の侵害であると主張している。
【０００４】
他方、EPNには著作権者からの強い反対が予想される。高音質高画質のコンテンツを、EPNに沿った受信機であれば、自由に複製できるようになり、著作権の侵害となると言うのが、著作権者側の主な反対理由である。放送番組は多数の著作権者のコンテンツで構成されており、著作権者が安心できる環境を作ることで、番組の充実が図られるが、EPNでは、著作権者から理解を得ることができず、デジタル放送番組の充実は不可能となり、コンテンツ保護の目的に合致しない。よって、デジタル放送の円滑な普及を阻害することにつながりかねない。仮に許諾を得てもＨＤ素材や５，１ｃｈ音声素材は提供されない可能性が高い。結果的にデジタル放送受信機を購入した放送受信者は高画質・高音質を享受できないことになり、デジタル放送の普及の妨げになりかねない。
【０００５】
上記複製の問題に加えて、音楽等コンテンツ情報を、受信装置側で、放送装置側から購入していない状態で読み出し可能に蓄積し得ることなしに、放送装置側から購入している状態でのみ読み出し可能に蓄積し得るシステムが求められている。
【発明の開示】
【発明が解決しようとする課題】
【０００６】
デジタル放送の発展のためには、音楽等コンテンツ情報の著作権保護という観点と、放送受信者の自由度の高い複製要求（個人使用目的に限る）という観点から見た、双方の要求を満たすシステム提供が求められている。加えて、音楽等コンテンツ情報を、受信装置側で、放送装置側から購入していない状態で読み出し可能に蓄積し得ることなしに、放送装置側から購入している状態でのみ読み出し可能に蓄積し得るシステムの提供が求められている。
【０００７】
この発明の第一のシステム（図１及び図２参照）においては、高音質高画質の複製に対する著作権者の危惧を払拭すると同時に、他方、他の媒体へのさらなる複製など、自由度の高い複製許可を求める放送受信者の要求をも満たすシステムを提供する。加えて、音楽等コンテンツ情報を表示中、または、複製物から、高音質高画質の音楽等コンテンツを、ワンストップで購入できるようにする。
【０００８】
また、この発明の第二（図３及び図４参照）のシステムにおいては、良質のコンテンツを長期にわたり放送受信者に利用されるという著作権者の不満を解決すると同時に、他方、他の媒体へのさらなる複製を求める放送受信者の要求をも満たすことができるシステムを提供する。加えて、音楽等コンテンツ情報を表示中、または、複製物から、高音質高画質の音楽等コンテンツを、ワンストップで購入できるようにする。
【課題を解決するための手段】
【０００９】
この発明は、放送装置において、音楽、映像などの複数のコンテンツ情報（以下音楽等コンテンツ情報という）から、それらをそれぞれ再生可能な状態に質を劣化させている複数の質劣化音楽等コンテンツ情報を、質劣化音楽等コンテンツ情報生成手段によって生成し、上記放送装置において、上記生成した複数の質劣化音楽等コンテンツ情報に、それら複数の質劣化音楽等コンテンツ情報の識別情報を付すようになされていて、上記放送装置から、上記複数の音楽等コンテンツ情報を、付加情報である、上記生成された複数の質劣化音楽等コンテンツ情報と、それら複数の質劣化音楽等コンテンツ情報の識別情報とともに、放送手段によって、受信装置に向け、順次伝送し、上記受信装置が、上記放送装置から順次伝送される上記複数の音楽等コンテンツ情報を、上記付加情報である、上記生成された複数の質劣化音楽等コンテンツ情報と、それら複数の質劣化音楽等コンテンツ情報の識別情報とともに、放送受信手段によって、順次受信し、上記音楽等コンテンツ情報を、上記付加情報である、上記生成された複数の質劣化音楽等コンテンツ情報と、それら複数の質劣化音楽等コンテンツ情報の識別情報とともに、受信した上記受信装置において、上記受信した上記音楽等コンテンツ情報を、音楽等コンテンツ情報表示手段によって順次表示し、
上記受信した複数の識別情報を識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、上記予定数の識別情報を表示している受信装置おいて、上記予定数の識別情報中から一の識別情報が、所望したい質劣化音楽等コンテンツ情報の識別情報(以下所望識別情報という)として、識別情報選択手段によって選択されれば、それに応じて、質劣化音楽等情報所望要求情報生成手段によって、上記所望識別情報を有する質劣化音楽等コンテンツ情報所望要求情報を生成し、上記生成した質劣化音楽等コンテンツ情報所望要求情報を、上記付加情報を受信している当該受信装置の放送受信手段に、送り出し、上記放送受信手段は、上記質劣化音楽等コンテンツ情報所望要求情報を受信したことに基づき、上記放送装置から受信した上記付加情報の上記複数の質劣化音楽等コンテンツ情報の中から、上記質劣化音楽等コンテンツ情報所望要求情報の所望識別情報が表している質劣化音楽等コンテンツ情報を、上記放送受信手段が上記質劣化音楽等情報所望要求情報生成手段から受信した上記質劣化音楽等コンテンツ情報所望要求情報の所望識別情報と、上記放送受信手段が上記放送装置から受信した上記複数の質劣化音楽等コンテンツ情報に付されている識別情報とを用いて、選び出し、その選び出した上記質劣化音楽等コンテンツ情報を、当該受信装置の蓄積手段に向け、送り出し、上記放送受信手段より送り出した上記質劣化音楽等コンテンツ情報を、当該受信装置の蓄積手段に、蓄積するようにした音楽等コンテンツ情報伝送・受信システムである。
【００１０】
この発明は、放送装置において、音楽、映像などの複数のコンテンツ情報（以下音楽等コンテンツ情報という）から、それらをそれぞれ再生可能な状態に質を劣化させている複数の質劣化音楽等コンテンツ情報を、質劣化音楽等コンテンツ情報生成手段によって生成し、上記放送装置において、上記複数の質劣化音楽等コンテンツ情報に生成される前の上記複数の音楽等コンテンツ情報は、それら複数の音楽等コンテンツ情報の購入識別情報とともに、複数の音楽等情報として、音楽等情報蓄積手段に蓄積されており、上記放送装置において、上記生成された複数の質劣化音楽等コンテンツ情報を、それら複数の質劣化音楽等コンテンツ情報に生成される前の複数の音楽等コンテンツ情報の購入識別情報とともに、複数の質劣化音楽等情報とし、上記複数の質劣化音楽等情報に、それら複数の質劣化音楽等情報の識別情報を付すようになされていて、上記放送装置から、上記複数の音楽等コンテンツ情報を、付加情報である、上記複数の音楽等コンテンツ情報の購入識別情報と、上記複数の質劣化音楽等情報と、それら複数の質劣化音楽等情報の識別情報とともに、放送手段によって、受信装置に向け、順次伝送し、上記受信装置が、上記放送装置から順次放送される上記複数の音楽等コンテンツ情報を、上記付加情報である、上記複数の音楽等コンテンツ情報の購入識別情報と、上記複数の質劣化音楽等情報と、それら複数の質劣化音楽等情報の識別情報とともに、放送受信手段によって、順次受信し、上記複数の音楽等コンテンツ情報と上記付加情報を受信した受信装置において、上記受信した付加情報の上記複数の質劣化音楽等情報の識別情報を識別情報表示手段によって、順次表示するとともに、その順次表示された複数の識別情報中のいま表示した識別情報中の表示以前に予定数表示したその予定数の識別情報を、それら予定数の識別情報中から一の識別情報を選択可能な状態に表示し、上記予定数の識別情報を表示している受信装置おいて、上記予定数の識別情報中から一の識別情報が、所望したい質劣化音楽等情報の識別情報(以下所望識別情報という)として、識別情報選択手段によって選択されれば、それに応じて、質劣化音楽等情報所望要求情報生成手段によって、上記所望識別情報を有する質劣化音楽等情報所望要求情報を生成し、上記生成した質劣化音楽等情報所望要求情報を、上記付加情報を受信している当該受信装置の放送受信手段に、送り出し、上記放送受信手段は、上記質劣化音楽等情報所望要求情報を受信したことに基づき、上記放送装置から受信した上記付加情報の上記複数の質劣化音楽等情報の中から、上記質劣化音楽等情報所望要求情報の所望識別情報が表している質劣化音楽等情報を、上記放送受信手段が上記質劣化音楽等情報所望要求情報生成手段から受信した上記質劣化音楽等情報所望要求情報の所望識別情報と、上記放送受信手段が上記放送装置から受信した上記複数の質劣化音楽等情報に付されている識別情報とを用いて、選び出し、その選び出した上記質劣化音楽等情報を、当該受信装置の蓄積手段に向け、送り出し、上記放送受信手段より送り出された上記質劣化音楽等情報を、当該受信装置の蓄積手段に、蓄積し、上記複数の質劣化音楽等情報を蓄積した受信装置において、���記蓄積手段から、上記複数の質劣化音楽等情報の複数の質劣化音楽等コンテンツ情報を、付加情報読出手段によって、読み出し、その読み出した、上記複数の質劣化音楽等コンテンツ情報を、音楽等コンテンツ表示手段によって、適宜順次表示し、且つ上記複数の質劣化音楽等情報の、上記複数の質劣化音楽等コンテンツ情報に生成される前の複数の音楽等コンテンツ情報の複数の購入識別情報を、付加情報読出手段によって、読み出し、その読み出した上記複数の購入識別情報を識別情報表示手段によって、順次表示するとともに、その順次表示された複数の購入識別情報中のいま表示した購入識別情報の表示以前に予定数表示したその予定数の購入識別情報を、それら予定数の購入識別情報中から一の購入識別情報を選択可能な状態に表示し、上記音楽等コンテンツ情報を、上記付加情報とともに受信した上記受信装置において、上記受信した音楽等コンテンツ情報を、音楽等コンテンツ情報表示手段によって、順次表示し、且つ上記受信した付加情報の上記複数の購入識別情報を、付加情報読出手段によって、読み出し、その読み出した上記複数の購入識別情報を識別情報表示手段によって、順次表示するとともに、その順次表示された複数の購入識別情報中のいま表示した購入識別情報の表示以前に予定数表示したその予定数の購入識別情報を、それら予定数の購入識別情報中から一の購入識別情報を選択可能な状態に表示し、上記予定数の購入識別情報を表示している受信装置おいて、上記予定数の購入識別情報中から一の購入識別情報が、購入したい音楽等コンテンツ情報の購入識別情報(以下希望音楽等コンテンツ情報購入識別情報という)として、識別情報選択手段によって選択されれば、それに応じて、音楽等コンテンツ情報購入要求情報生成手段によって、当該受信装置を表している受信装置表示情報と上記希望音楽等コンテンツ情報購入識別情報とを有する音楽等コンテンツ情報購入要求情報を生成し、上記音楽等コンテンツ情報購入要求情報を生成した受信装置から、上記音楽等コンテンツ情報購入要求情報を、当該受信装置の送受信手段の送信部によって、上記放送装置に向け、送信し、上記放送装置が、上記音楽等コンテンツ情報購入要求情報を送信した受信装置から送信された音楽等コンテンツ情報購入要求情報を、当該放送装置の送受信手段の受信部によって、受信し、上記放送装置において、上記音楽等コンテンツ情報購入要求情報を受信したことに基づき、当該放送装置の上記音楽等情報蓄積手段から、それに蓄積されている上記複数の音楽等情報中の上記音楽等コンテンツ情報購入要求情報の希望音楽等コンテンツ情報購入識別情報が表している音楽等コンテンツ情報を、販売音楽等コンテンツ情報として、販売音楽等コンテンツ情報読出手段によって、上記受信した音楽等コンテンツ情報購入要求情報の希望音楽等コンテンツ情報購入識別情報と当該放送装置の上記音楽等情報蓄積手段に蓄積されている上記複数の音楽等情報の購入識別情報と別途予め得ている課金情報とを用いて、読み出し、その読み出した販売音楽等コンテンツ情報を、当該放送装置の送受信手段の送信部または放送手段によって、上記音楽等コンテンツ情報購入要求情報の受信装置表示情報を用いて、上記音楽等コン��ンツ情報購入要求情報を送信した受信装置に向け、送信または伝送し、上記音楽等コンテンツ情報購入要求情報を送信した受信装置が、上記放送装置から送信されまたは放送された販売音楽等コンテンツ情報を、購入音楽等コンテンツ情報として、上記販売音楽等コンテンツ情報が上記放送装置の送受信手段の送信部によって送信されたか放送手段によって放送されたかに応じて、当該受信装置の送受信手段の受信部によってまたは放送受信手段によって、受信し、上記購入音楽等コンテンツ情報を受信した受信装置において、上記受信した購入音楽等コンテンツ情報を、購入音楽等コンテンツ情報蓄積手段に蓄積することを特徴とする音楽等コンテンツ情報伝送・受信システムである。
【００１１】
この発明は、放送装置において、音楽、映像などの複数のコンテンツ情報（以下音楽等コンテンツ情報という）から、それらをそれぞれ予定表示期間内に限って表示可能な状態にさせている、及び／又は、それらをそれぞれ予定表示回数内に限って表示可能な状態にさせている、複数の表示制限音楽等コンテンツ情報を、表示制限音楽等コンテンツ情報生成手段によって生成し、上記放送装置において、上記生成した複数の表示制限音楽等コンテンツ情報に、それら複数の表示制限音楽等コンテンツ情報の識別情報を付すようになされていて、上記放送装置から、上記複数の音楽等コンテンツ情報を、付加情報である、上記生成された表示制限音楽等コンテンツ情報と、それら複数の表示制限音楽等コンテンツ情報の識別情報とともに、放送手段によって、受信装置に向け、順次伝送し、上記受信装置が、上記放送装置から順次伝送される上記複数の音楽等コンテンツ情報を、上記付加情報である、上記生成された複数の表示制限音楽等コンテンツ情報と、それら複数の表示制限音楽等コンテンツ情報の識別情報とともに、放送受信手段によって、順次受信し、上記音楽等コンテンツ情報を、上記付加情報である、上記生成された複数の表示制限音楽等コンテンツ情報と、それら複数の表示制限音楽等コンテンツ情報とともに、受信した上記受信装置において、上記受信した上記音楽等コンテンツ情報を、音楽等コンテンツ情報表示手段によって順次表示し、上記受信した複数の識別情報を識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、上記予定数の識別情報を表示している受信装置おいて、上記予定数の識別情報中から一の識別情報が、所望したい表示制限音楽等コンテンツ情報の識別情報(以下所望識別情報という)として、識別情報選択手段によって選択されれば、それに応じて、表示制限音楽等情報所望要求情報生成手段によって、当該受信装置を表している受信装置表示情報と上記所望識別情報とを有する表示制限音楽等コンテンツ情報所望要求情報を生成し、上記生成した表示制限音楽等コンテンツ情報所望要求情報を、上記付加情報を受信している当該受信装置の放送受信手段に、送り出し、上記放送受信手段は、上記表示制限音楽等コンテンツ情報所望要求情報を受信したことに基づき、上記放送装置から受信した上記付加情報の上記複数の表示制限音楽等コンテンツ情報の中から、上記表示制限音楽等コンテンツ情報所望要求情報の所望識別情報が表している表示制限音楽等コンテンツ情報を、上記放送受信手段が上記表示制限音楽等情報所望要求情報生成手段から受信した上記表示制限音楽等コンテンツ情報所望要求情報の所望識別情報と、上記放送受信手段が上記放送装置から受信した上記複数の表示制限音楽等コンテンツ情報に付されている識別情報とを用いて、選び出し、その選び出した上記表示制限音楽等コンテンツ情報を、当該受信装置の蓄積手段に向け、送り出し、上記放送受信手段より送り出された上記表示制限音楽等コンテンツ情報を、当該受信装置の蓄積手段に、蓄積するようにした音楽等コンテ���ツ情報伝送・受信システムである。
【００１２】
この発明は、放送装置において、音楽、映像などの複数のコンテンツ情報（以下音楽等コンテンツ情報という）から、それらをそれぞれ予定表示期間内に限って表示可能な状態にさせている、及び／又は、それらをそれぞれ予定表示回数内に限って表示可能な状態にさせている、複数の表示制限音楽等コンテンツ情報を、表示制限音楽等コンテンツ情報生成手段によって生成し、上記放送装置において、上記複数の表示制限音楽等コンテンツ情報に生成される前の上記複数の音楽等コンテンツ情報は、それら複数の音楽等コンテンツ情報の購入識別情報とともに、複数の音楽等情報として、音楽等情報蓄積手段に蓄積されており、上記放送装置において、上記生成された複数の表示制限音楽等コンテンツ情報を、それら複数の表示制限音楽等コンテンツ情報に生成される前の複数の音楽等コンテンツ情報の購入識別情報とともに、複数の表示制限音楽等情報とし、上記複数の表示制限音楽等情報に、それら複数の表示制限音楽等情報の識別情報を付すようになされていて、上記放送装置から、上記複数の音楽等コンテンツ情報を、付加情報である、上記複数の音楽等コンテンツ情報の購入識別情報と、上記複数の表示制限音楽等情報と、それら複数の表示制限音楽等情報の識別情報とともに、放送手段によって、受信装置に向け、順次伝送し、上記受信装置が、上記放送装置から順次放送される上記複数の音楽等コンテンツ情報を、上記付加情報である、上記複数の音楽等コンテンツ情報の購入識別情報と、上記複数の表示制限音楽等情報と、それら複数の表示制限音楽等情報の識別情報とともに、放送受信手段によって、順次受信し、上記複数の音楽等コンテンツ情報と上記付加情報を受信した受信装置において、上記受信した付加情報の上記複数の表示制限音楽等情報の識別情報を識別情報表示手段によって、順次表示するとともに、その順次表示された複数の識別情報中のいま表示した識別情報中の表示以前に予定数表示したその予定数の識別情報を、それら予定数の識別情報中から一の識別情報を選択可能な状態に表示し、上記予定数の識別情報を表示している受信装置おいて、上記予定数の識別情報中から一の識別情報が、所望したい表示制限音楽等情報の識別情報(以下所望識別情報という)として、識別情報選択手段によって選択されれば、それに応じて、表示制限音楽等情報所望要求情報生成手段によって、上記所望識別情報を有する表示制限音楽等情報所望要求情報を生成し、上記生成した表示制限音楽等情報所望要求情報を、上記付加情報を受信している当該受信装置の放送受信手段に、送り出し、上記放送受信手段は、上記表示制限音楽等情報所望要求情報を受信したことに基づき、上記放送装置から受信した上記付加情報の上記複数の表示制限音楽等情報の中から、上記表示制限音楽等情報所望要求情報の所望識別情報が表している表示制限音楽等情報を、上記放送受信手段が上記表示制限音楽等情報所望要求情報生成手段から受信した上記表示制限音楽等情報所望要求情報の所望識別情報と、上記放送受信手段が上記放送装置から受信した上記複数の表示制限音楽等情報に付されている識別情報とを用いて、選び出し、その選び出した上記表示制限音楽等情報を、当該受信装置の蓄積手段に向け、送り出し、���記放送受信手段より送り出された上記表示制限音楽等情報を、当該受信装置の蓄積手段に、蓄積し、上記複数の表示制限音楽等情報を蓄積した受信装置において、上記蓄積手段から、上記複数の表示制限音楽等情報の複数の表示制限音楽等コンテンツ情報を、付加情報読出手段によって、読み出し、その読み出した、上記複数の表示制限音楽等コンテンツ情報を、音楽等コンテンツ表示手段によって、予定期間内に限って適宜順次表示し、且つ上記複数の表示制限音楽等情報の、複数の音楽等コンテンツ情報の購入識別情報を、付加情報読出手段によって、読み出し、その読み出した上記複数の購入識別情報を識別情報表示手段によって、順次表示するとともに、その順次表示された複数の購入識別情報中のいま表示した購入識別情報の表示以前に予定数表示したその予定数の購入識別情報を、それら予定数の購入識別情報中から一の購入識別情報を選択可能な状態に表示し、上記音楽等コンテンツ情報を、上記付加情報とともに受信した上記受信装置において、上記受信した音楽等コンテンツ情報を、音楽等コンテンツ情報表示手段によって、順次表示し、且つ上記受信した付加情報の上記複数の購入識別情報を、付加情報読出手段によって、読み出し、その読み出した上記複数の購入識別情報を識別情報表示手段によって、順次表示するとともに、その順次表示された複数の購入識別情報中のいま表示した購入識別情報の表示以前に予定数表示したその予定数の購入識別情報を、それら予定数の購入識別情報中から一の購入識別情報を選択可能な状態に表示し、上記予定数の購入識別情報を表示している受信装置おいて、上記予定数の購入識別情報中から一の購入識別情報が、購入したい音楽等コンテンツ情報の購入識別情報(以下希望音楽等コンテンツ情報購入識別情報という)として、識別情報選択手段によって選択されれば、それに応じて、音楽等コンテンツ情報購入要求情報生成手段によって、当該受信装置を表している受信装置表示情報と上記希望音楽等コンテンツ情報購入識別情報とを有する音楽等コンテンツ情報購入要求情報を生成し、上記音楽等コンテンツ情報購入要求情報を生成した受信装置から、上記音楽等コンテンツ情報購入要求情報を、当該受信装置の送受信手段の送信部によって、上記放送装置に向け、送信し、上記放送装置が、上記音楽等コンテンツ情報購入要求情報を送信した受信装置から送信された音楽等コンテンツ情報購入要求情報を、当該放送装置の送受信手段の受信部によって、受信し、上記放送装置において、上記音楽等コンテンツ情報購入要求情報を受信したことに基づき、当該放送装置の上記音楽等情報蓄積手段から、それに蓄積されている上記複数の音楽等情報中の上記音楽等コンテンツ情報購入要求情報の希望音楽等コンテンツ情報購入識別情報が表している音楽等コンテンツ情報を、販売音楽等コンテンツ情報として、販売音楽等コンテンツ情報読出手段によって、上記受信した音楽等コンテンツ情報購入要求情報の希望音楽等コンテンツ情報購入識別情報と当該放送装置の上記音楽等情報蓄積手段に蓄積されている上記複数の音楽等情報の購入識別情報と別途予め得ている課金情報とを用いて、読み出し、その読み出した販売音楽等コンテンツ情報を、当該放送装置の送受��手段の送信部または放送手段によって、上記音楽等コンテンツ情報購入要求情報の受信装置表示情報を用いて、上記音楽等コンテンツ情報購入要求情報を送信した受信装置に向け、送信または伝送し、上記音楽等コンテンツ情報購入要求情報を送信した受信装置が、上記放送装置から送信されまたは放送された販売音楽等コンテンツ情報を、購入音楽等コンテンツ情報として、上記販売音楽等コンテンツ情報が上記放送装置の送受信手段の送信部によって送信されたか放送手段によって放送されたかに応じて、当該受信装置の送受信手段の受信部によってまたは放送受信手段によって、受信し、上記購入音楽等コンテンツ情報を受信した受信装置において、上記受信した購入音楽等コンテンツ情報を、購入音楽等コンテンツ情報蓄積手段に蓄積することを特徴とする音楽等コンテンツ情報伝送・受信システムである。
【００１３】
この発明は、請求項２及び４中の一の請求項に記載の音楽等コンテンツ情報伝送・受信システムにおいて、上記放送装置が、上記販売音楽等コンテンツ情報を上記受信装置に向け送信または放送することで課金するとする、その課金管理を当該放送装置が受信した上記音楽等コンテンツ情報要求情報の受信装置表示情報を用いて行うようにした課金管理手段を有することを特徴とする音楽等コンテンツ情報伝送・受信システムである。
【００１４】
この発明は、請求項２及び４中の一の請求項に記載の音楽等コンテンツ情報伝送・受信システムにおいて、上記放送装置が、上記販売音楽等コンテンツ情報の販売管理を当該放送装置が受信した上記音楽等コンテンツ情報要求情報の購入識別情報を用いて行うようにした音楽等コンテンツ情報販売管理手段を有することを特徴とする音楽等コンテンツ情報伝送・受信システムである。
【００１５】
この発明は、請求項１、２、３、及び４中の一の請求項に記載の音楽等コンテンツ情報伝送・受信システムにおいて、上記受信装置において、上記質劣化音楽等情報所望情報生成手段又は上記表示制限音楽等情報所望情報生成手段によって生成される情報である、上記質劣化音楽等コンテンツ情報所望要求情報又は、上記質劣化音楽等情報所望要求情報又は、上記表示制限音楽等コンテンツ情報所望要求情報又は、上記表示制限音楽等情報所望要求情報（以下これら上記質劣化音楽等情報所望情報生成手段又は上記表示制限音楽等情報所望情報生成手段によって生成される情報をコンテンツ複製要求情報という）を、当該受信装置の送受信手段の送信部によって、音楽等コンテンツ情報の各種市場分析を行う第三者機関又は上記放送装置へ送信することを特徴とする音楽等コンテンツ情報伝送・受信システムである。
【００１６】
この発明は、上記受信装置において、複数の上記コンテンツ複製要求情報を、当該受信装置の送受信手段の送信部によって、音楽等コンテンツ情報の各種市場分析を行う第三者機関又は上記放送装置へ送信する際に、当該受信装置の受信装置表示情報を付すことを特徴とする、請求項７記載する音楽等コンテンツ情報伝送・受信システムである。
【００１７】
この発明は、請求項１、２、３、及び４中の一の請求項に記載の音楽等コンテンツ情報伝送・受信システムにおいて、上記受信装置において、上記質劣化音楽等情報所望情報生成手段又は上記表示制限音楽等情報所望情報生成手段によって生成される情報である、上記複数のコンテンツ複製要求情報を、上記受信装置の蓄積手段に蓄積することを特徴とする音楽等コンテンツ情報伝送・受信システムである。
【００１８】
この発明は、上記受信装置において、上記受信装置の蓄積手段に蓄積した上記複数のコンテンツ複製要求情報を、上記付加情報読出手段で、読み出し、当該受信装置の送受信手段の送信部によって、音楽等コンテンツ情報の各種市場分析を行う第三者機関又は上記放送装置へ送信することを特徴とする請求項９に記載する音楽等コンテンツ情報伝送・受信システムである。
【００１９】
この発明は、上記受信装置において、上記受信装置の蓄積手段に蓄積した上記複数のコンテンツ複製要求情報を、上記付加情報読出手段で、読み出し、当該受信装置の送受信手段の送信部によって、音楽等コンテンツ情報の各種市場分析を行う第三者機関又は上記放送装置へ送信する際に、当該受信装置の受信装置表示情報を付すことを特徴とする、請求項１０記載する音楽等コンテンツ情報伝送・受信システムである。
【発明の効果】
【００２０】
この発明の第一のシステム（図１参照）においては、高音質高画質のデジタル放送を表示する放送受信者が、表示する音楽等コンテンツ情報を複製したいと希望する場合、音楽等コンテンツ情報から、再生可能な状態に質を劣化させた質劣化音楽等コンテンツ情報を生成し提供する。よって、著作権者側に対しては、高音質高画質の音楽等コンテンツを複製されるという危惧・不満を払拭することができる。加えて、他方、放送受信者側に対しては、コピーワンスなどの制約を取り払い、一度複製した音楽等コンテンツ情報をさらに他の媒体へ複製できる自由度の高い複製を許可するシステムを提供する。これにより、著作権者は、デジタル放送に対し、安心して豊富な音楽等コンテンツ情報を提供することができ、放送受信者は、豊富に提供される音楽等コンテンツ情報の中から、それらを購入する前に、その内容を十分に確認することができる。従って、デジタル放送環境下における、著作権者と放送受信者の双方の要求を満たすことができ、課題となっているデジタル放送複製問題を解決し、デジタル放送の発展のために寄与することができる。
【００２１】
また、この発明の第二のシステム（図３参照）においては、放送受信者が音楽等コンテンツ情報の複製を希望する際に、放送装置側（著作権者側）であらかじめ定めた予定表示期間内及び／又は予定表示回数内に限って、音楽等コンテンツ情報を表示するようにした表示制限音楽等コンテンツ情報を生成し提供する。これによって、著作権者側に対しては、放送受信者が、高品質の音楽等コンテンツ情報を長期間利用することへの不満を解消することができ、他方、放送受信者に対しては、表示制限内に限り、一度複製した音楽等コンテンツ情報をさらに他の媒体へ複製できる自由度の高い複製を許可するシステムを提供することができる。
【００２２】
この発明の第一のシステム（図２参照）では、さらに、放送受信者が、質劣化音楽等コンテンツ情報を複製する際に、それら質劣化音楽等コンテンツ情報に生成される前の音楽等コンテンツ情報の購入識別情報を付して蓄積するようになされている。これにより、複製した質劣化音楽等コンテンツ情報を何度か表示し確かめた後で、気に入った場合には、ワンストップで、質を劣化させる前の音楽等コンテンツ情報を購入できるようになっている。したがって、著作権者にとっては、音楽等コンテンツ情報を複製させるというイベントが、著作権者自信の音楽等コンテンツ情報を販売するための強力なツールとなる。これにより、デジタル放送に対しかならずしも好意的でない著作権者の賛同を得ることが可能となる。また、放送装置を活用した新たな音楽等コンテンツ情報の流通事業を起こすことが可能となる。
【００２３】
この発明の第二のシステム（図４参照）では、さらに、放送受信者が、表示制限音楽等コンテンツ情報を複製する際に、それら表示制限音楽等コンテンツ情報に生成される前の音楽等コンテンツ情報の購入識別情報を付して蓄積するようになされている。これにより、複製した表示制限音楽等コンテンツを何度か確かめた後で、気に入った場合には、ワンストップで表示制限音楽等コンテンツ情報に生成される前の音楽等コンテンツ情報を購入できる。
【００２４】
この発明の第一のシステムによれば（図２参照）、音楽等コンテンツ情報から質劣化音楽等コンテンツ情報を生成している。劣化音楽等コンテンツ情報を、その質劣化音楽等コンテンツ情報に生成される前の音楽等コンテンツ情報の購入識別情報とともに、質劣化音楽等情報としている。複数の音楽等コンテンツ情報を、付加情報である複数の質劣化音楽等情報とそれら複数の質劣化音楽等情報の識別情報とともに、放送網を介し伝送する。放送受信者が、受信する音楽等コンテンツ情報を高画質高音質で表示でき、且つ、表示する音楽等コンテンツ情報の複製を希望する場合、質劣化音楽等コンテンツ情報と、その質劣化音楽等コンテンツ情報に生成される前の音楽等コンテンツ情報の購入識別情報を、質劣化音楽等情報として提供する。これにより、放送する音楽等コンテンツ情報の著作権保護を求める著作権者と、自由度の高い複製を要求する受信者との双方の要求に応えることができ、デジタル放送の複製問題を解決することができる。加えて、質劣化音楽等コンテンツ情報を複製した放送受信者が、複製し蓄積した複数の質劣化音楽等コンテンツ情報を適宜順次表示し、その中の一つを気に入った場合、質劣化音楽等コンテンツ情報に付されて複製し蓄積された、その質劣化音楽等コンテンツ情報に生成される前の音楽等コンテンツ情報の購入識別情報を表示し、選択し、それに応じて、音楽等コンテンツ情報購入要求情報を生成し、放送装置へ送信する。音楽等コンテンツ情報購入要求情報を受信した放送装置は、音楽等コンテンツ情報購入要求情報を基に、放送受信者が購入希望した音楽等コンテンツ情報を音楽等情報蓄積部から、読み出し、音楽等コンテンツ情報購入要求情報を送信した放送受信者へ送信するようになされている。これにより、放送装置を活用した音楽等コンテンツ情報の流通を促すこともできる。
【００２５】
また、この発明の第二のシステム（図４参照）によれば、音楽等コンテンツ情報から表示制限音楽等コンテンツ情報を生成している。表示制限音楽等コンテンツ情報を、その表示制限音楽等コンテンツ情報に生成される前の音楽等コンテンツ情報の購入識別情報とともに、表示制限音楽等情報としている。音楽等コンテンツ情報を、付加情報である、表示制限音楽等情報とその識別情報とともに、放送網を介し伝送する。受信者が、音楽等コンテンツ情報を高画質高音質で表示でき、且つ、表示する音楽等コンテンツ情報の複製を希望する場合、表示制限音楽等コンテンツ情報と、その表示制限音楽等コンテンツ情報に生成される前の音楽等コンテンツ情報の購入識別情報とを、表示制限音楽等情報として、提供する。これにより、放送する音楽等コンテンツ情報の著作権保護を求める著作権者と、表示制限内に限り、自由度の高い複製を要求する受信者との双方の要求に応えることができ、デジタル放送の複製問題を解決することができる。加えて、表示制限音楽等コンテンツ情報を複製した放送受信者が、複製蓄積した複数の表示制限音楽等コンテンツ情報を適宜順次表示し、その中の一つを気に入った場合、表示制限音楽等コンテンツ情報に付されて複製し蓄積された、その表示制限音楽等コンテンツ情報に生成される前の音楽等コンテンツ情報の購入識別情報を表示し、選択し、それに応じて、音楽等コンテンツ情報購入要求情報を生成し、放送装置へ送信する。音楽等コンテンツ情報購入要求情報を受信した放送装置は、音楽等コンテンツ情報購入要求情報を基に、放送受信者が購入希望した音楽等コンテンツ情報を音楽等情報蓄積部から、読み出し、音楽等コンテンツ情報購入要求情報を送信した放送受信者へ送信するようになされている。これにより、放送装置を活用した音楽等コンテンツ情報の流通を促すことができる。
【発明を実施するための最良の形態】
【００２６】
図２のように、この発明が適用された第一のシステムは、高音質高画質のデジタル放送を表示する放送受信者が、表示する音楽等コンテンツ情報を複製したいと希望する場合、音楽等コンテンツ情報から、再生可能な状態に質を劣化させた質劣化音楽等コンテンツ情報を提供する。さらに、放送受信者が質劣化音楽等コンテンツ情報を複製する際に、質を劣化させる前の音楽等コンテンツ情報の購入識別情報を付して蓄積するようになされている。
【実施例１】
【００２７】
図２は、ここの発明が適用された第一のシステムにおける、一つの実施例の全体構成を示すものである。まず、図２を基に、放送措置について説明する。
【００２８】
この図２に示すように、放送装置の放送手段には、複数の音楽等コンテンツ情報と、付加情報である、上記複数の音楽等コンテンツ情報の購入識別情報と、複数の質劣化音楽等情報と、それら複数の質劣化音楽等情報の識別情報が送られるようになされている。
【００２９】
ここで、複数の質劣化音楽等情報は、複数の音楽等コンテンツ情報から、それらをそれぞれ再生可能な状態に質を劣化させている複数の質劣化音楽等コンテンツ情報と、それら質を劣化させる前の複数の音楽等コンテンツ情報の購入識別情報とからなる。
【００３０】
音楽等コンテンツ情報とは、動画、音楽、ゲーム、静止画、テキストなどの個体またはそれらの複合体である。また、DJなどの声が入ることもある。音楽等コンテンツ情報は、例えば、MPEG(Moving Picture Experts Group)やＡＡＣ（Advanced Audio Coding ）などにより、それぞれに最適の圧縮が行われる。
【００３１】
音楽等コンテンツ情報は、一旦蓄積サーバに蓄積し、放送手段に送出されてもよい。同じように、付加情報である質劣化音楽等情報とその識別情報も、一旦蓄積サーバに蓄積し、送出されてもよい。
【００３２】
音楽等コンテンツ情報は、例えば、ストリーミング情報として伝送するようになされている。
【００３３】
放送手段は、デジタル放送の送出を行うようなされている。また、放送手段は、デジタル放送の送出を行う際に、例えば、OFDM（Orthogonal Frequency Division Multiplexing）変調方式による変調をおこなうようになされている。
【００３４】
放送手段は、また、音楽等コンテンツ情報や様々な付加情報など、いわゆるマルチメディア情報の符号化の処理を行うようなされている。符号化したマルチメディアコンテンツを一斉同報が可能な同報ネットワークである放送網を介し伝送する。（一斉同報が可能な同報ネットワークは、放送網に限らず、例えば、IPマルチキャストを活用した通信ネットワークへも送出することもできる。）
【００３５】
マルチメディアの符号化は、例えば、MPEG１、MPEG２、MPEG４、Ｈ.264などの圧縮技術を活用する。具体的には、例えば、デジタル放送規格の一つであるMPEG-2 TS（Transport Stream）符号化による多重化がなされ送出するようになされている。MPEG-2 TS符号化によれば、BML（Broadcast Markup Language）を用いたデータ放送なども行うことが可能である。このような符号化により送出されることで、音楽等コンテンツ情報や付加情報（データ放送）など、いわゆるマルチメディア情報のそれぞれのダウンロード情報が提供され、受信装置側で適宜、受信（ストリーミング及び／又はダウンロード）できるようになされている。
【００３６】
質劣化音楽等コンテンツ生成手段は、音楽等コンテンツ情報から、再生可能な状態に質を劣化させている質劣化音楽等コンテンツ情報を生成するようになされている。
【００３７】
質劣化音楽等コンテンツ生成手段の具体的な生成方法を説明する。高音質のオーディオ符号化に、例えば、ＡＡＣ（Advanced Audio Coding ）フォーマットがあるが、これらの高音質のオーディオデータから、再生可能な状態に質を劣化させるため、さらに、例えば、ＭＰ３（MPEG Audio Layer3）フォーマットで符号化を行う。ビットレートと再生周波数の関係は、圧縮ソフト等によってもことなるが、ＭＰ３によるデコードビットレートを、例えば、64kbps 以下にすると明らかな音質低下を図ることが可能である。これにより、受信装置で表示する際には、ＡＡＣフォーマットの高音質状態で表示ができ、放送受信者が複製を所望する場合には、例えば、ＭＰ３によるデコードビットレートを、64kbps以下にしたモノラルオーディオ程度の音質で複製するようになされている。
【００３８】
質劣化音楽等コンテンツ情報は、例えば、ダウンロード情報として伝送するようになされている。但し、質劣化音楽等コンテンツ情報を、例えば、ストリーミング情報として伝送することもできる。
【００３９】
質劣化音楽等コンテンツ情報は、例えば、音楽等コンテンツ情報の付加情報として伝送するようになされている。
【００４０】
また、質劣化音楽等コンテンツ情報は、例えば、音楽等コンテンツ情報とは、異なるチャンネルから伝送するようにしてもよい。
【００４１】
ここでは、質劣化音楽等コンテンツ情報を、その質劣化音楽等コンテンツ情報に生成される前の音楽等コンテンツ情報の購入識別情報とともに、質劣化音楽等情報とするようになされている。
【００４２】
但し、上記のように質劣化音楽等コンテンツ情報と、その質劣化音楽等コンテンツ情報に生成される前の音楽等コンテンツ情報の購入識別情報とを、質劣化音楽等情報所望要求情報とはせずに、それぞれ個別に伝送することもできる。
【００４３】
質劣化音楽等情報には、それら質劣化音楽等情報の識別情報を付すようになされている。
【００４４】
識別情報は、当該放送装置が伝送する質劣化音楽等情報を受信する受信装置が、質劣化音楽等情報を、選択しダウンロードする際に、主に用いられる。
【００４５】
識別情報は、例えば、質劣化音楽等情報のユニークなIDやタイトルなどや、それら質劣化音楽等情報のダウンロードに用いるダウンロード情報である。
【００４６】
ダウンロード情報には、例えば、質劣化音楽等情報のネットワーク上のローケーションを示すローケーション情報や、さらに、例えば、質劣化音楽等情報をダウンロードするための鍵情報またはダウンロードした質劣化音楽等情報を有効とするための鍵情報等であることもある。ダウンロード情報は、例えば、マルチメディア言語記述により質劣化音楽等情報のダウンロード実行手順を記述した情報である。
【００４７】
識別情報は、例えば、音楽等コンテンツ情報に対応するデータ放送としてBML文書により送信され、受信装置側で順次受信（ストリーミング及び／又はダウンロード）されるようになされている。受信装置側では、順次受信した識別情報を基に、質劣化音楽等情報を所望するための、質劣化音楽等情報所望要求情報を生成するようになされている。
【００４８】
BML文書の符号化には、例えば、XMLによる符号化がある。また、BML文書の伝送方式には、例えば、カルーセル伝送方式などがある。
【００４９】
質劣化音楽等情報に識別情報を付す方法は、例えば、カルーセル伝送方式に則し、質劣化音楽等情報のボディ内のリソース・リストに記述する方法がある。また、例えば、カルーセル伝送するために質劣化音楽等情報を適宜ファイル分割する際に、各ファイルの識別子に、識別情報を付すこともできる。
【００５０】
識別情報は、前述したように、音楽等コンテンツ情報の付加情報として、いわゆるモノメディア・データとして個別に、伝送することができる。また、識別情報は、例えば、モノメディア・データである質劣化音楽等情報のヘッダーとして記述され伝送することもできる。
【００５１】
購入識別情報は、当該放送装置が伝送する音楽等コンテンツ情報を受信する受信装置が、音楽等コンテンツ情報を、購入する際に、主に用いられる。
【００５２】
購入識別情報は、質劣化音楽等コンテンツ情報に生成される前の音楽等コンテンツ情報を購入するための情報である。音楽等コンテンツ情報を購入するための情報とは、例えば、購入する音楽等コンテンツ情報のユニークなIDやタイトルなどや、それら音楽等コンテンツ情報のダウンロードに用いるダウンロード情報である。ダウンロード情報とは、例えば、音楽等コンテンツ情報のネットワーク上のローケーションを示すローケーション情報や、さらに、例えば、音楽等コンテンツ情報をダウンロードするための鍵情報またはダウンロードした音楽等コンテンツ情報を有効とするための鍵情報等である。ダウンロード情報は、例えば、マルチメディア言語記述により音楽等コンテンツ情報のダウンロード実行手順を記述した情報である。また、さらに、課金に関する関連情報ＥＣＭを送信してもよい。
【００５３】
購入識別情報は、例えば、音楽等コンテンツ情報に対応するデータ放送としてBML文書により送信され、受信装置側で順次受信（ストリーミング及び／又はダウンロード）されるようになされている。受信装置側では、順次受信した購入識別情報を基に、音楽等コンテンツ情報を購入希望する際の、音楽等コンテンツ情報購入要求情報を生成するようされている。
【００５４】
購入識別情報は、音楽等コンテンツ情報の付加情報として、いわゆるモノメディア・データとして個別に、伝送することができる。
【００５５】
購入識別情報は、また、例えば、音楽等コンテンツ情報のヘッダーとして記述され伝送することもできる。
【００５６】
音楽等情報蓄積手段は、例えば、ハードディスクや光磁気ディスクやフラッシュメモリーなどの記憶（記録）媒体で構成され、複数の音楽等コンテンツ情報を、それら複数の音楽等コンテンツ情報の購入識別情報とともに、音楽等情報として、蓄積するようになされている。
【００５７】
販売音楽等コンテンツ情報読出手段について説明する。放送装置において、複数の音楽等コンテンツ情報から、それらをそれぞれ再生可能な状態に質を劣化させている複数の質劣化音楽等コンテンツ情報を、それら質を劣化させる前の複数の音楽等コンテンツ情報の購入識別情報とともに、複数の質劣化音楽等情報としている。当該放送装置が複数の音楽等コンテンツ情報を、付加情報である、複数の音楽等コンテンツ情報の購入識別情報と、複数の質劣化音楽等情報と、それら複数の質劣化音楽等情報の識別情報とともに、受信装置へ、順次伝送することによって、受信装置が、複数の音楽等コンテンツ情報と、付加情報を、受信する。当該受信装置が、受信した付加情報の質劣化音楽等情報を蓄積手段に蓄積し、その蓄積された質劣化音楽等情報を適時順次読み出したことに基づき、当該受信装置からその送受信手段の送信部によって送信される、当該受信装置を表している受信装置表示情報と当該受信装置が蓄積手段から読み出した複数の質劣化音楽等情報の購入識別情報中から選択された一の購入識別情報である購入したい音楽等コンテンツ情報の購入識別情報(以下希望音楽等コンテンツ情報購入識別情報という)とを有する音楽等コンテンツ情報購入要求情報、及び当該放送装置が複数の音楽等コンテンツ情報を順次放送することによって上記受信装置が、複数の音楽等コンテンツ情報を、受信し、その音楽等コンテンツ情報とそれらの購入識別情報とを順次表示したことに基づき、当該受信装置からその送受信手段の送信部によって送信される、当該受信装置を表している受信装置表示情報と上記表示された複数の音楽等コンテンツ情報の購入識別情報中から選択された一の購入識別情報である購入したい音楽等コンテンツ情報の購入識別情報(以下希望音楽等コンテンツ情報購入識別情報という)とを有する音楽等コンテンツ情報購入要求情報を、各別に、当該放送装置の送受信手段の受信部によって、受信し得るようになされている。上記音楽等コンテンツ情報購入要求情報を当該方法放置が受信すれば、それに基づき、当該放送装置の音楽等情報蓄積手段から、それに蓄積されている複数の音楽等情報中の上記音楽等コンテンツ情報購入要求情報の希望音楽等コンテンツ情報購入識別情報が表している音楽等コンテンツ情報を、販売音楽等コンテンツ情報として、販売音楽等コンテンツ情報読出手段よって、上記受信した音楽等コンテンツ情報購入要求情報の希望音楽等コンテンツ情報購入識別情報と当該放送装置の上記音楽等情報蓄積手段に蓄積されている上記複数の音楽等情報の購入識別情報と別途予め得ている課金情報とを用いて、読み出し、その読み出した販売音楽等コンテンツ情報を、当該放送装置の送受信手段の送信部または放送手段によって、上記音楽等コンテンツ情報購入要求情報の受信装置表示情報を用いて、上記音楽等コンテンツ情報購入要求情報を送信した受信装置に向け、送信または伝送するようになされている。
【００５８】
音楽等コンテンツ情報販売管理手段が、当該放送装置の送受信手段の受信部で受信した、上記受信装置から送信された音楽等コンテンツ情報購入要求情報を、用いて、販売する音楽等コンテンツ情報の管理を行うようなされている。音楽等コンテンツ情報販売管理手段は、必要とあらば、上記受信装置から送信された音楽等コンテンツ情報購入要求情報を蓄積する蓄積部を含むこともある。また、音楽等コンテンツ情報販売管理手段が、上記音楽等コンテンツ情報購入要求情報を分析することで、各種マーケティングデータの分析も行うようなされている。
【００５９】
当該放送装置は、音楽等コンテンツ情報購入要求情報を送信してきた受信装置へ、その音楽等コンテンツ情報購入要求情報が示す音楽等コンテンツ情報を、販売音楽等コンテンツ情報として配信する際に、当該放送装置の送受信手段の送信部によって配信するか、または、放送手段から配信するのかのを選択できる情報を、購入識別情報内に配置することがあり、配信方法表示情報は、それらの配信方法につての情報を、購入識別情報に付すようになされている。但し、上記販売音楽等コンテンツを、当該放送装置の送受信手段の送信部によって配信する場合には、配信方法表示情報は、必要がない。
【００６０】
受信装置について説明する。放送受信手段は、デジタル放送の受信を行うようなされている。
【００６１】
放送受信手段は、主に、例えば、以下のような構成になっている。１、アンテナ。２、チューナー。３、デマルチプレクサ（DEMUX）
【００６２】
アンテナは、デジタル放送信号を受信する。このアンテナは、受信した信号をチューナーに与える。
【００６３】
チューナーは、例えば、音楽等コンテンツ情報などを含むデジタル変調信号のうちから特定周波数の信号を取り出す。また、チューナーは、例えば、復調回路、逆インタリーブ回路、誤り訂正回路などを備え、選択したデジタル変調信号を復調してトランスポート・ストリームを出力するようになされている。
【００６４】
デマルチプレクサ（ＤＥＭＵＸ）は、上記トランスポート・ストリームを、ＭＰＥＧ２（Ｍｏｖｉｎｇ Ｐｉｃｔｕｒｅ Ｅｘｐｅｒｔｓ Ｇｒｏｕｐ２）のビデオストリーム、オーディオストリーム、及びＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）に分離する。デマルチプレクサは、ビデオストリームとオーディオストリームを音楽等コンテンツ表示手段に供給し、ＰＳＩ／ＳＩに含まれる付加情報を付加情報表示手段に供給するようになされている。なお、トランスポート・ストリームには複数のチャンネルが多重化されており、この中から任意のチャンネルを選択するための処理は、上記ＰＳＩ／ＳＩから任意のチャンネルがトランスポート・ストリーム中でどのパケットＩＤ（識別子）で多重化されているかといったデータを取り出すことで可能となる。また、トランスポート・ストリームの選定もＰＳＩ／ＳＩの情報に基づいて行うことができる。
【００６５】
音楽等コンテンツ情報表示手段は、例えば、ＡＶデコーダとディスプレイ（モニタ）とスピーカーなどで構成される。放送受信手段から供給されたビデオストリームとオーディオストリームを、ＡＶデコーダによりそれぞれ適宜デコードし、映像データは映像処理回路に出力され、D／A変換を行い、音声データは音声処理回路に出力され、D／A変換を行い、それぞれディスプレイとスピーカーに表示再生するようになされている。
【００６６】
付加情報表示手段は、例えば、不揮発性メモリとディスプレイなどで構成され、放送受信手段からＰＳＩ／ＳＩとして供給された、付加情報の、識別情報及び／又は購入識別情報を予定数記録し表示するようになされている。付加情報表示手段で表示する識別情報及び／又は購入識別情報は、音楽等コンテンツ情報表示手段で表示する音楽等コンテンツ情報に応じて、順次表示するようになされている。付加情報表示手段は、さらに、その順次表示された複数の識別情報及び／又は購入識別情報中のいま表示した識別情報及び／又は購入識別情報の表示以前に予定数表示したその予定数の識別情報及び／又は購入識別情報を、それら予定数の識別情報及び／又は購入識別情報中から一の識別情報及び／又は購入識別情報を選択可能な状態に表示するようになされている。
【００６７】
付加情報表示手段は、また、OSD（オンスクリーンディスプレイ）回路を有することもある。このケースで、例えば、音楽等コンテンツ情報表示手段で表示する音楽等コンテンツ情報が映像情報の場合、OSD回路を通じ提供される識別情報及び／又は購入識別情報は、音楽等コンテンツ情報表示手段に表示される音楽等コンテンツ情報に加算され、音楽等コンテンツ情報表示手段の同一ディスプレイ上に、表示されることもある。
【００６８】
識別情報ならびに購入識別情報は、放送装置側で、例えば、BML書類により作成、提供されていて、その場合、付加情報表示手段は、BML書類の表示方法に則り表示されるようになされている。
【００６９】
識別情報は、また、例えば、質劣化音楽等情報のヘッダー情報として提供されることがある。その場合、付加情報表示手段は、質劣化音楽等情報のヘッダー情報として表示するようになされている。同様に、購入識別情報は、また、例えば、音楽等コンテンツ情報のヘッダー情報として提供されることがある。その場合、付加情報表示手段は、音楽等コンテンツ情報のヘッダー情報として表示するようになされている。
【００７０】
識別情報選択手段は、例えば、マウスやリモコンなどの操作部により構成される。識別情報選択手段が、付加情報表示手段に選択可能な状態に予定数表示されている識別情報又は購入識別情報から、一の識別情報及又は購入識別情報を、選択するようになされている。
【００７１】
付加情報表示手段によって、予定数の識別情報を表示している受信装置おいて、その予定数の識別情報中から一の識別情報が、所望したい質劣化音楽等情報の識別情報(以下所望識別情報という)として、識別情報選択手段によって選択されれば、それに応じて、質劣化音楽等情報所望要求情報生成手段によって、上記所望識別情報を有する質劣化音楽等情報所望要求情報を生成するようになされている。また、質劣化音楽等情報所望要求情報生成手段が、生成した質劣化音楽等情報所望要求情報を、放送受信手段へ、送り出すようになされている。
【００７２】
受信装置表示情報は、例えば、例えば、当該受信装置を表すユニークなID、IPアドレス、メールアドレス、ユーザ氏名などで構成されている。
【００７３】
付加情報読出手段は、蓄積手段に蓄積した質劣化音楽等情報の質劣化音楽等コンテンツ情報を読み出し、音楽等コンテンツ情報表示手段に送り表示再生するようになされている。また、付加情報読出手段は、質劣化音楽等コンテンツ情報に付されて蓄積手段に蓄積した音楽等コンテンツ情報の購入識別情報を読み出し、付加情報表示手段へ送り、表示するようになされている。
【００７４】
上記付加情報表示手段によって、予定数の購入識別情報を表示している受信装置おいて、その予定数の購入識別情報中から一の購入識別情報が、購入したい音楽等コンテンツ情報の購入識別情報(以下希望音楽等コンテンツ情報購入識別情報という)として、識別情報選択手段によって選択されれば、それに応じて、音楽等コンテンツ情報購入要求情報生成手段によって、当該受信装置を表している受信装置表示情報と上記希望音楽等コンテンツ情報購入識別情報とを有する音楽等コンテンツ情報購入要求情報を生成するようになされている。また、音楽等コンテンツ情報購入要求情報生成手段が、生成した音楽等コンテンツ情報購入要求情報を、当該受信装置の送受信手段の送信部に、送り出すようになされている。
【００７５】
当該受信装置の送受信手段は、送信部と受信部により構成され、例えば、アナログ公衆回線網や、ＩＳＤＮ（Integrated Services Digital Network）、インターネット、その他の双方向通信が可能な通信網を介し、放送装置の送受信手段と通信を行うようになされている。当該受信装置の送受信手段の送信部は、音楽等コンテンツ情報購入要求情報を、通信網を介し放送装置へ送信するようになされている。また、当該受信装置の送受信手段の受信部は、通信網を介し、放送装置１００から、販売音楽等コンテンツ情報を受信するようになされている。
【００７６】
送受信手段は、例えば、モデムや、TA(Terminal Adapter) などの通信制御機器により構成され、例えば、ＴＣＰ／ＩＰに基づくプロトコルにしたがってデータの送受信を行う。ここで、送受信手段は、双方向通信が可能な通信網を介し、上記放送措置と通信するにあたり、有線通信でも良いし、また無線通信でも良い。
【００７７】
蓄積手段は、例えば、ハードディスクや光磁気ディスクやフラッシュメモリーなどの記憶（記録）媒体で構成され、識別情報選択手段により選択した、質劣化音楽等情報を蓄積する。また、蓄積手段は、例えば、取り外しができるようにすることもできる。
【００７８】
購入音楽等コンテンツ情報蓄積手段は、例えば、ハードディスクや光磁気ディスクやフラッシュメモリーなどの記憶（記録）媒体で構成され、放送装置から購入した音楽等コンテンツを蓄積するようになされている。また、当該受信装置の蓄積手段が、上記購入音楽等コンテンツ情報蓄積手段を兼用することも可能である。
【実施例２】
【００７９】
図４は、この発明が適用された第二のシステムにおける、一つの実施例の全体構成を示すものである。まず、図４を基に、放送措置について説明する。
【００８０】
この図４に示すように、放送装置の放送手段には、複数の音楽等コンテンツ情報と、付加情報である、上記複数の音楽等コンテンツ情報の購入識別情報と、複数の表示制限音楽等情報と、それら複数の表示制限音楽等情報の識別情報が送られるようになされている。
【００８１】
ここで、複数の表示制限音楽等情報は、音楽、映像などの複数のコンテンツ情報（以下音楽等コンテンツ情報という）から、それらをそれぞれ予定表示期間内に限って表示可能な状態にさせている、及び／又は、それらをそれぞれ予定表示回数内に限って表示可能な状態にさせている、複数の表示制限音楽等コンテンツ情報と、それらを表示制限音楽等コンテンツ情報にする前の複数の音楽等コンテンツ情報の購入識別情報とからなる。
【００８２】
音楽等コンテンツ情報に関する説明は、この発明が適用された第一のシステムにおける音楽等コンテンツ情報に関する説明と同様である。
【００８３】
放送手段に関する説明は、この発明が適用された第一のシステムにおける放送手段の説明と同様である。
【００８４】
表示制限音楽等コンテンツ情報生成手段は、複数の音楽等コンテンツ情報から、それらをそれぞれ予定表示期間内に限って表示可能な状態にさせている、及び／又は、それらをそれぞれ予定表示回数内に限って表示可能な状態にさせている、複数の表示制限音楽等コンテンツ情報を生成するようになされている。
【００８５】
表示制限音楽等コンテンツ情報生成手段について説明する。まず、ここでは、表示制限音楽等コンテンツ情報は、二つの異なった種類の表現制限方法を含むものである。一つは、複数の音楽等コンテンツ情報から、それらをそれぞれ予定表示期間内に限って表示可能な状態にさせる方法であり（以下、期間限定表現方法という）、もう一つは、複数の音楽等コンテンツ情報から、それらをそれぞれ予定表示回数内に限って表示可能な状態にさせる方法である（以下回数限定表示方法という）。
【００８６】
表示制限音楽等コンテンツ情報生成手段は、複数の音楽等コンテンツ情報から、それらをそれぞれ予定表示期間内に限って表示可能な状態にさせている、及び／又は、それらをそれぞれ予定表示回数内に限って表示可能な状態にさせている、複数の表示制限音楽等コンテンツ情報を生成する。即ち、表示制限音楽等コンテンツ情報生成手段で生成する表示制限音楽等コンテンツ情報には、最大３つのパターンがある。一つ目は、上記期間限定表現方法により生成される表示制限音楽等コンテンツ情報である。二つ目は、上記回数限定表示方法により生成される表示制限音楽等コンテンツ情報である。三つ目は、上記期間限定表現方法と上記回数限定表示方法とを組み合わせて生成される表示制限音楽等コンテンツ情報である。表示制限音楽等コンテンツ情報生成手段は、上記のような３つのパターンの表示制限音楽等コンテンツ情報のいずれか、またはすべてを生成するようになされている。
【００８７】
上記期間限定表現方法について説明する。期間限定表現方法による表示制限音楽等コンテンツ情報の生成方法には、幾つかあるが、例えば、表示制限音楽等コンテンツ情報生成手段により、音楽等コンテンツ情報に、表示期限日に係る管理情報（年月日情報など）を挿入し、受信装置で上記表示期限日に係る管理情報を超えて表示しようとした場合には、表示再生不能とする表示制限音楽等コンテンツ情報を生成する。受信装置において、上記表示制限音楽等コンテンツ情報をダウンロードし、表示する場合、上記表示制限音楽等コンテンツ情報に挿入した上記表示期限日に係る管理情報と、受信装置が有するカレンダの日付情報とを比較するようになされ、上記カレンダ日付情報が上記表示期限日に係る管理情報を経過すると、上記ダウンロードした表示制限音楽等コンテンツ情報の表示再生を不能とするようになされている。
【００８８】
その他の、期間限定表現方法による表示制限音楽等コンテンツ情報の生成方法には、特開2002-229860に記述されたものなどがある。
【００８９】
次に、上記回数限定表現方法について説明する。上記回数限定表現方法による表示制限音楽等コンテンツ情報の生成方法には、幾つかあるが、例えば、表示制限音楽等コンテンツ情報生成手段により、音楽等コンテンツ情報に、表示回数に係る管理情報（回数情報など）を挿入し、受信装置で上記表示回数に係る管理情報を超えて表示しようとした場合には、表示再生不能とする表示制限音楽等コンテンツ情報を生成する。受信装置において、上記表示制限音楽等コンテンツ情報をダウンロードし、表示指定を行うに基づき、表示指示回数が逐次カウントされ、その表示指示回数と、上記表示回数に係る管理情報との比較が行われるようになされ、上記表示回数に係る管理情報に設定された表示指示回数が終了した場合に、上記ダウンロードした表示制限音楽等コンテンツ情報の、その次の表示指示による表示再生が不能となるようになされている。
【００９０】
表示制限音楽等コンテンツ情報は、例えば、ダウンロード情報として伝送するようになされている。但し、質劣化音楽等コンテンツ情報を、例えば、ストリーミング情報として伝送することもできる。
【００９１】
表示制限音楽等コンテンツ情報は、例えば、音楽等コンテンツ情報の付加情報として伝送するようになされている。
【００９２】
また、表示制限音楽等コンテンツ情報は、例えば、音楽等コンテンツ情報とは、異なるチャンネルから伝送するようにしてもよい。
【００９３】
ここでは、表示制限音楽等コンテンツ情報を、その表示制限音楽等コンテンツ情報に生成される前の音楽等コンテンツ情報の購入識別情報とともに、表示制限音楽等情報とするようになされている。
【００９４】
但し、上記のように表示制限音楽等コンテンツ情報と、その表示制限音楽等コンテンツ情報に生成される前の音楽等コンテンツ情報の購入識別情報とを、表示制限音楽等情報所望要求情報とはせずに、それぞれ個別に伝送することもできる。
【００９５】
表示制限音楽等情報には、それら表示制限音楽等情報の識別情報を付すようになされている。
【００９６】
識別情報は、当該放送装置が伝送する表示制限音楽等情報を受信する受信装置が、表示制限音楽等情報を、選択しダウンロードする際に、主に用いられる。
【００９７】
識別情報は、例えば、表示制限音楽等情報のユニークなIDやタイトルなどや、それら表示制限音楽等情報のダウンロードに用いるダウンロード情報である。
【００９８】
ダウンロード情報には、例えば、表示制限音楽等情報のネットワーク上のローケーションを示すローケーション情報や、さらに、例えば、表示制限音楽等情報をダウンロードするための鍵情報またはダウンロードした表示制限音楽等情報を有効とするための鍵情報等であることもある。ダウンロード情報は、例えば、マルチメディア言語記述により表示制限音楽等情報のダウンロード実行手順を記述した情報である。
【００９９】
識別情報は、例えば、音楽等コンテンツ情報に対応するデータ放送としてBML文書により送信され、受信装置側で順次受信（ストリーミング及び／又はダウンロード）されるようになされている。受信装置側では、順次受信した識別情報を基に、表示制限音楽等情報を所望するための、表示制限音楽等情報所望要求情報を生成するようになされている。
【０１００】
BML文書の符号化には、例えば、XMLによる符号化がある。また、BML文書の伝送方式には、例えば、カルーセル伝送方式などがある。
【０１０１】
表示制限音楽等情報に識別情報を付す方法は、例えば、カルーセル伝送方式に則し、表示制限音楽等情報のボディ内のリソース・リストに記述する方法がある。また、例えば、カルーセル伝送するために表示制限音楽等情報を適宜ファイル分割する際に、各ファイルの識別子に、識別情報を付すこともできる。
【０１０２】
識別情報は、前述したように、音楽等コンテンツ情報の付加情報として、いわゆるモノメディア・データとして個別に、伝送することができる。また、識別情報は、例えば、モノメディア・データである表示制限音楽等情報のヘッダーとして記述され伝送することもできる。
【０１０３】
購入識別情報は、当該放送装置が伝送する音楽等コンテンツ情報を受信する受信装置が、音楽等コンテンツ情報を、購入する際に、主に用いられる。
【０１０４】
購入識別情報は、表示制限音楽等コンテンツ情報に生成される前の音楽等コンテンツ情報を購入するための情報である。音楽等コンテンツ情報を購入するための情報とは、例えば、購入する音楽等コンテンツ情報のユニークなIDやタイトルなどや、それら音楽等コンテンツ情報のダウンロードに用いるダウンロード情報である。ダウンロード情報とは、例えば、音楽等コンテンツ情報のネットワーク上のローケーションを示すローケーション情報や、さらに、例えば、音楽等コンテンツ情報をダウンロードするための鍵情報またはダウンロードした音楽等コンテンツ情報を有効とするための鍵情報等である。ダウンロード情報は、例えば、マルチメディア言語記述により音楽等コンテンツ情報のダウンロード実行手順を記述した情報である。また、さらに、課金に関する関連情報ＥＣＭを送信してもよい。
【０１０５】
購入識別情報は、例えば、音楽等コンテンツ情報に対応するデータ放送としてBML文書により送信され、受信装置側で順次受信（ストリーミング及び／又はダウンロード）されるようになされている。受信装置側では、順次受信した購入識別情報を基に、音楽等コンテンツ情報を購入希望する際の、音楽等コンテンツ情報購入要求情報を生成するようされている。
【０１０６】
購入識別情報は、音楽等コンテンツ情報の付加情報として、いわゆるモノメディア・データとして個別に、伝送することができる。
【０１０７】
購入識別情報は、また、例えば、音楽等コンテンツ情報のヘッダーとして記述され伝送することもできる。
【０１０８】
音楽等情報蓄積手段は、例えば、ハードディスクや光磁気ディスクやフラッシュメモリーなどの記憶（記録）媒体で構成され、複数の音楽等コンテンツ情報を、それら複数の音楽等コンテンツ情報の購入識別情報とともに、音楽等情報として、蓄積するようになされている。
【０１０９】
販売音楽等コンテンツ情報読出手段について説明する。放送装置において、複数の音楽等コンテンツ情報から、それらをそれぞれ予定表示期間内に限って表示可能な状態にさせている、及び／又は、それらをそれぞれ予定表示回数内に限って表示可能な状態にさせている、複数の表示制限音楽等コンテンツ情報を、それら複数の表示制限音楽等コンテンツ情報にする前の複数の音楽等コンテンツ情報の購入識別情報とともに、複数の表示制限音楽等情報としている。当該放送装置が複数の音楽等コンテンツ情報を、付加情報である、複数の音楽等コンテンツ情報の購入識別情報と、複数の表示制限音楽等情報と、それら複数の表示制限音楽等情報の識別情報とともに、受信装置へ、順次伝送することによって、受信装置が、複数の音楽等コンテンツ情報と、付加情報を、受信する。当該受信装置が、受信した付加情報の表示制限音楽等情報を蓄積手段に蓄積し、その蓄積された表示制限音楽等情報を適時順次読み出したことに基づき、当該受信装置からその送受信手段の送信部によって送信される、当該受信装置を表している受信装置表示情報と当該受信装置が蓄積手段から読み出した複数の表示制限音楽等情報の購入識別情報中から選択された一の購入識別情報である購入したい音楽等コンテンツ情報の購入識別情報(以下希望音楽等コンテンツ情報購入識別情報という)とを有する音楽等コンテンツ情報購入要求情報、及び当該放送装置が複数の音楽等コンテンツ情報を順次放送することによって上記受信装置が、複数の音楽等コンテンツ情報を、受信し、その音楽等コンテンツ情報とそれらの購入識別情報とを順次表示したことに基づき、当該受信装置からその送受信手段の送信部によって送信される、当該受信装置を表している受信装置表示情報と上記表示された複数の音楽等コンテンツ情報の購入識別情報中から選択された一の購入識別情報である購入したい音楽等コンテンツ情報の購入識別情報(以下希望音楽等コンテンツ情報購入識別情報という)とを有する音楽等コンテンツ情報購入要求情報を、各別に、当該放送装置の送受信手段の受信部によって、受信し得るようになされている。上記音楽等コンテンツ情報購入要求情報を当該方法放置が受信すれば、それに基づき、当該放送装置の音楽等情報蓄積手段から、それに蓄積されている複数の音楽等情報中の上記音楽等コンテンツ情報購入要求情報の希望音楽等コンテンツ情報購入識別情報が表している音楽等コンテンツ情報を、販売音楽等コンテンツ情報として、販売音楽等コンテンツ情報読出手段よって、上記受信した音楽等コンテンツ情報購入要求情報の希望音楽等コンテンツ情報購入識別情報と当該放送装置の上記音楽等情報蓄積手段に蓄積されている上記複数の音楽等情報の購入識別情報と別途予め得ている課金情報とを用いて、読み出し、その読み出した販売音楽等コンテンツ情報を、当該放送装置の送受信手段の送信部または放送手段によって、上記音楽等コンテンツ情報購入要求情報の受信装置表示情報を用いて、上記音楽等コンテンツ情報購入要求情報を送信した受信装置に向け、送信または伝送するようになされている。
【０１１０】
音楽等コンテンツ情報販売管理手段に関する説明は、この発明が適用された第一のシステムにおける音楽等コンテンツ情報販売管理手段に関する説明と同様である。
【０１１１】
配信方法表示情報に関する説明は、この発明が適用された第一のシステムにおける配信方法表示情報に関する説明と同様である。
【０１１２】
受信装置について説明する。放送受信手段は、デジタル放送の受信を行うようなされている。
【０１１３】
放送受信手段に関する説明は、この発明が適用された第一のシステムにおける放送受信手段に関する説明と同様である。
【０１１４】
音楽等コンテンツ情報表示手段に関する説明は、この発明が適用された第一のシステムにおける音楽等コンテンツ情報表示手段に関する説明と同様である。
【０１１５】
付加情報表示手段に関する説明は、この発明が適用された第一のシステムにおける付加情報表示手段に関する説明と同様である。
【０１１６】
識別情報ならびに購入識別情報は、放送装置側で、例えば、BML書類により作成、提供されていて、その場合、付加情報表示手段は、BML書類の表示方法に則り表示されるようになされている。
【０１１７】
識別情報は、また、例えば、表示制限音楽等情報のヘッダー情報として提供されることがある。その場合、付加情報表示手段は、表示制限音楽等情報のヘッダー情報として表示するようになされている。同様に、購入識別情報は、また、例えば、音楽等コンテンツ情報のヘッダー情報として提供されることがある。その場合、付加情報表示手段は、音楽等コンテンツ情報のヘッダー情報として表示するようになされている。
【０１１８】
識別情報選択手段は、例えば、マウスやリモコンなどの操作部により構成される。識別情報選択手段が、付加情報表示手段に選択可能な状態に予定数表示されている識別情報又は購入識別情報から、一の識別情報及又は購入識別情報を、選択するようになされている。
【０１１９】
付加情報表示手段によって、予定数の識別情報を表示している受信装置おいて、その予定数の識別情報中から一の識別情報が、所望したい表示制限音楽等情報の識別情報(以下所望識別情報という)として、識別情報選択手段によって選択されれば、それに応じて、表示制限音楽等情報所望要求情報生成手段によって、上記所望識別情報を有する表示制限音楽等情報所望要求情報を生成するようになされている。また、表示制限音楽等情報所望要求情報生成手段が、生成した表示制限音楽等情報所望要求情報を、放送受信手段へ、送り出すようになされている。
【０１２０】
受信装置表示情報は、例えば、当該受信装置を表すユニークなID、IPアドレス、メールアドレス、ユーザ氏名などで構成されている。
【０１２１】
付加情報読出手段は、蓄積手段に蓄積した表示制限音楽等情報の表示制限音楽等コンテンツ情報を読み出し、音楽等コンテンツ情報表示手段に送り、表示再生するようになされている。また、付加情報読出手段は、表示制限音楽等コンテンツ情報に付されて蓄積手段に蓄積した音楽等コンテンツ情報の購入識別情報を読み出し、付加情報表示手段へ送り、表示するようになされている。
【０１２２】
上記付加情報表示手段によって、予定数の購入識別情報を表示している受信装置おいて、その予定数の購入識別情報中から一の購入識別情報が、購入したい音楽等コンテンツ情報の購入識別情報(以下希望音楽等コンテンツ情報購入識別情報という)として、識別情報選択手段によって選択されれば、それに応じて、音楽等コンテンツ情報購入要求情報生成手段によって、当該受信装置を表している受信装置表示情報と上記希望音楽等コンテンツ情報購入識別情報とを有する音楽等コンテンツ情報購入要求情報を生成するようになされている。また、音楽等コンテンツ情報購入要求情報生成手段が、生成した音楽等コンテンツ情報購入要求情報を、当該受信装置の送受信手段の送信部に、送り出すようになされている。
【０１２３】
当該受信装置の送受信手段に関する説明は、この発明が適用された第一のシステムにおける送受信手段に関する説明と同様である。
【０１２４】
蓄積手段は、例えば、ハードディスクや光磁気ディスクやフラッシュメモリーなどの記憶（記録）媒体で構成され、識別情報選択手段により選択した、表示制限音楽等情報を蓄積する。また、蓄積手段は、例えば、取り外しができるようにすることもできる。
【０１２５】
購入音楽等コンテンツ情報蓄積手段は、例えば、ハードディスクや光磁気ディスクやフラッシュメモリーなどの記憶（記録）媒体で構成され、放送装置から購入した音楽等コンテンツを蓄積するようになされている。また、当該受信装置の蓄積手段が、購入音楽等コンテンツ情報蓄積手段を兼用することも可能である。
【産業上の利用可能性】
【０１２６】
本特許によれば、例えば、携帯電話向けに開始されるデジタルラジオ放送において、放送をユビキタス環境で受信する受信装置が、放送しているコンテンツを気に入った場合に、ワンストップで、気に入ったコンテンツを購入するという、新事業を提供することが可能となる。また、デジタル放送のコンテンツ複製（受信者コピー）問題に対し、著作権者と受信者の双方の理解を得られるシステムを提供することができる。特に、コンテンツホルダーの理解を得られることで、豊富なコンテンツの提供が可能となり、結果として受信者満足度を向上させ、放送事業発展に大いに寄与する。また、コンテンツを複製する際に、そのコンテンツを購入させるための識別情報を付して蓄積させるため、放送事業を活用したコンテンツ流通事業を創造することができる。
【図面の簡単な説明】
【０１２７】
【図１】本発明による第一のシステムの構成例を示すブロック図である。
【図２】本発明による第一のシステムの構成例を示すブロック図である。
【図３】本発明による第二のシステムの構成例を示すブロック図である。
【図４】本発明による第二のシステムの構成例を示すブロック図である。
【図５】本発明による第一のシステムおよび第二のシステムの放送手段の構成を示すイメージ図である。
【手続補正３】
【補正対象書類名】図面
【補正対象項目名】全図
【補正方法】変更
【補正の内容】
【図１】
2008052879.tif 000004
【図２】
2008052879.tif 000005
【図３】
2008052879.tif 000006
【図４】
2008052879.tif 000007
【図５】
2008052879.tif 000008